(57)【要約】本発明は、吸入装置（７０１）に関し、特に、蓋箔のような蓋シートによって覆われる粉末薬剤の個々のポケット又はブリスターを収容する薬剤担体が設けられる装置に関する。用量を前進／割り出しする割り出しシステム（７１２、７１４）の移動を制御する、共通アクチュエータ（７１０）を提供し、及び開封システム（７９０、７９１）の進行が共通アクチュエータ（７１０）が移動している間の割り出しシステム（７１２、７１４）の進行に対して不均衡であるような、用量を開封する開封システム（７９０、７９１）を提供する。【選択図】図６６
2021532906.tif 000002
【特許請求の範囲】
【請求項１】
割り出しシステムと、開封システムと、前記割り出しシステム及び前記開封システムの共通アクチュエータと、を有する作動機構を備える吸入装置であり、
前記割り出しシステムは薬剤担体を前進させ、
前記薬剤担体は、複数の薬剤ポケット又はブリスターを有するベースと、前記ブリスターを覆う剥離可能な蓋シートと、を備え、
前記開封システムは、前記薬剤担体から前記蓋シートを剥離してブリスターを開封し、
前記共通アクチュエータが、中間位置を介して第１の位置と第２の位置との間で移動可能であり、
前記開封システムの進行が、前記共通アクチュエータが移動している間の前記割り出しシステムの進行に対して不均衡である、吸入装置。
【請求項２】
前記共通アクチュエータの第１の運動範囲を通る移動により、前記割り出しシステムが動作し、
前記共通アクチュエータの第２の運動範囲を通る移動により、前記開封システムが動作し、
前記割り出しシステムが前記開封システムから引き離されて、前記第１の運動範囲が前記第２の運動範囲と同じではない、請求項１に記載の吸入装置。
【請求項３】
前記共通アクチュエータの定められた移動により、前記割り出しシステム及び前記開封システムの両方が動作し、
前記アクチュエータの移動速度に対する前記開封システムの移動速度が、前記アクチュエータの前記定められた移動中に変化する、請求項１に記載の吸入装置。
【請求項４】
前記共通アクチュエータの定められた移動により、
前記割り出しシステムを動作させて薬剤の１用量を前進させ、
ブリスター内の薬剤を露出させることなく前記剥離が生じる第１の動作段階と、前記剥離によってブリスター内の薬剤が露出する第２の動作段階と、を通して前記開封システムが移動して、これにより吸入準備ができた薬剤の用量が提供され、
前記開封システムの前記第２の動作段階が、前記割り出しシステムの前記動作が３０％完了するまで遅延する、請求項１に記載の吸入装置。
【請求項５】
前記定められた移動が、前記第１の位置から前記第２の位置への移動を含む、請求項３又は４に記載の吸入装置。
【請求項６】
前記定められた移動が、前記第２の位置から前記第１の位置への移動、及び前記第２の位置に戻る移動を含む、請求項３又は４に記載の吸入装置。
【請求項７】
前記共通アクチュエータの前記第１の位置からの移動により、前記割り出しシステムが前進し、
前記共通アクチュエータの前記中間位置を越える移動のみにより、前記開封システムが作動する、請求項１又は２に記載の吸入装置。
【請求項８】
前記第１の位置と前記中間位置との間の位置から前記第１の位置に戻る前記アクチュエータの反転移動により、前記割り出しシステムの前記前進が反転する、請求項７に記載の吸入装置。
【請求項９】
前記第２の位置と前記第１の位置との間の前記アクチュエータの移動により、前記割り出しシステムが前進する、請求項１〜８のいずれか一項に記載の吸入装置。
【請求項１０】
前記共通アクチュエータによって駆動される中央ハブを更に備える、請求項１〜９のいずれか一項に記載の吸入装置。
【請求項１１】
歯車リンク機構を更に備えて、前記中央ハブから前記割り出しシステムに駆動を伝達する、請求項１０に記載の吸入装置。
【請求項１２】
カムシステムを更に備えて、前記中央ハブから前記割り出しシステムに駆動を伝達する、請求項１０に記載の吸入装置。
【請求項１３】
前記作動機構がトリガー構成要素を更に含み、前記トリガー構成要素の移動により前記開封システムが始動する、請求項１〜１２のいずれか一項に記載の吸入装置。
【請求項１４】
前記共通アクチュエータの前記中間位置を越える移動により、前記トリガー構成要素が移動する、請求項１３に記載の吸入装置。
【請求項１５】
前記作動機構が、前記開封システムを制御するカムを更に備える、請求項１〜１２のいずれか一項に記載の吸入装置。
【請求項１６】
前記作動機構が、薬剤担体から剥離される使用済み蓋シートを受け入れる蓋シート巻き取り構成要素と、
前記共通アクチュエータ及び前記蓋シート巻き取り構成要素の間の駆動系と、を更に備える、請求項１〜１５のいずれか一項に記載の吸入装置。
【請求項１７】
前記作動機構が、前記割り出しシステムの前進中に蓋シートに発生する張力を調節する手段を備える、請求項１６に記載の吸入装置。
【請求項１８】
前記駆動系の共通中心上に設けられる２つの回転構成要素の間にねじりバネが設けられている、請求項１６又は１７に記載の吸入装置。
【請求項１９】
前記割り出しシステムの前進中に、前記使用済み蓋シートの張力によって前記ねじりバネが蓄勢される、請求項１８に記載の吸入装置。
【請求項２０】
前記割り出しシステムの前進前又は前進中に、前記駆動系が前記蓋シート巻き取り構成要素を移動させて、前記蓋シートの張力を調節する、請求項１６〜１８のいずれか一項に記載の吸入装置。
【請求項２１】
前記割り出しシステムの前進中に、剥離した蓋シートの少なくとも一部が、薬剤担体の未開封部分の上に折り返される、請求項２０に記載の吸入装置。
【請求項２２】
薬剤担体からの蓋シートの分離を調節する剥離嘴部構成要素を更に含む、請求項１〜２１のいずれか一項に記載の吸入装置。
【請求項２３】
前記剥離嘴部構成要素が、前記割り出しシステムの前進中又は前進前に移動可能である、請求項２２に記載の吸入装置。
【請求項２４】
前記剥離嘴部構成要素が、薬剤担体の経路と実質的に一致する経路、又は前記薬剤担体の経路からオフセットされた経路をたどる、請求項２３に記載の吸入装置。
【請求項２５】
前記剥離嘴部構成要素が、前記割り出しシステムの構成要素に選択的に係合する、請求項２３又は２４に記載の吸入装置。
【請求項２６】
前記剥離嘴部構成要素が、前記割り出しシステムの前記構成要素に選択的に係合する爪又はラチェットを備える、請求項２５に記載の吸入装置。
【請求項２７】
前記割り出しシステムが、第１の薬剤担体及び第２の薬剤担体を割り出しする手段を備え、
前記第１の薬剤担体及び第２の薬剤担体の各々が、複数の薬剤ポケット又はブリスターを有するベースと、前記ブリスターを覆う剥離可能な蓋シートと、を備える、請求項１〜２６のいずれか一項に記載の吸入装置。
【請求項２８】
前記開封システムが、前記第１の薬剤担体及び第２の薬剤担体の各々から前記蓋シートを剥離するように構成され、
前記共通アクチュエータの前記第１の位置からの移動により、前記割り出しシステムが動作して前記第１の薬剤担体を前進させ、
前記共通アクチュエータの前記中間位置を越える移動のみにより、前記開封システムが作動して前記第２の薬剤担体のブリスターから前記蓋シートを剥離する、請求項２７に記載の吸入装置。
【請求項２９】
前記割り出しシステムが、前記第１の薬剤担体及び第２の薬剤担体を割り出しする、別個の第１の割り出し装置及び第２の割り出し装置を備える、請求項２７又は２８に記載の吸入装置。
【請求項３０】
前記割り出しシステムが、前記第１の割り出し装置及び第２の割り出し装置を前進させて、前記第１の割り出し装置の進行が前記第２の割り出し装置の進行に対して不均衡である、請求項２９に記載の吸入装置。
【請求項３１】
第１の薬剤担体及び第２の薬剤担体を前進させる第１の割り出し装置及び第２の割り出し装置を備える割り出しシステムと、
前記第１の割り出し装置及び第２の割り出し装置の共通アクチュエータと、
を有する作動機構を備え、
前記共通アクチュエータが、中間位置を介して第１の位置と第２の位置との間で移動可能であり、
前記第１の割り出し装置の進行が、前記第２の割り出し装置の進行に対して不均衡である、吸入装置。
【請求項３２】
前記第１の割り出し装置及び前記第２の割り出し装置が、前記共通アクチュエータの移動中に同時に前進しない、請求項２９〜３１のいずれか一項に記載の吸入装置。
【請求項３３】
前記共通アクチュエータの第１の運動範囲を通る移動により、前記第１の割り出し装置が動作し、
前記共通アクチュエータの第２の運動範囲を通る移動により、前記第２の割り出し装置が動作し、
前記第１の割り出し装置が前記第２の割り出し装置から引き離されて、前記第１の運動範囲が前記第２の運動範囲と同じでない、請求項２９〜３２のいずれか一項に記載の吸入装置。
【請求項３４】
前記共通アクチュエータが前記第２の位置から前記第１の位置に移動するときに、前記割り出しシステムが前記第１の割り出し装置及び第２の割り出し装置のうちの１つを前進させる、請求項２９〜３３のいずれか一項に記載の吸入装置。
【請求項３５】
前記第１の割り出し装置及び第２の割り出し装置の少なくとも一方が、割り出し車輪を備える、請求項２９〜３４のいずれか一項に記載の吸入装置。
【請求項３６】
前記割り出しシステムが、単一の割り出し装置を備える、請求項２７又は２８に記載の吸入装置。
【請求項３７】
前記割り出し装置が、割り出し車輪を備える、請求項３６に記載の吸入装置。
【請求項３８】
開封システムが、前記第１の薬剤担体及び第２の薬剤担体の各々の上のブリスターを同時に剥離して開封するように構成される、請求項２７〜３７のいずれか一項に記載の吸入装置。
【請求項３９】
前記共通アクチュエータの前記中間位置が、前記共通アクチュエータの前記第１の位置よりも前記共通アクチュエータの前記第２の位置に近い、請求項１〜３８のいずれか一項に記載の吸入装置。
【請求項４０】
前記共通アクチュエータの前記中間位置が、前記共通アクチュエータの前記第２の位置に近接する、請求項３９に記載の吸入装置。
【請求項４１】
前記割り出しシステムが、間欠駆動面及び／又は係止面を有する１つ以上の歯車を備える、請求項１〜４０のいずれか一項に記載の吸入装置。
【請求項４２】
前記割り出しシステムが、前記割り出しシステムの１つ以上の構成要素の移動を選択的に防止する係止手段を備える、請求項１〜４１のいずれか一項に記載の吸入装置。
【請求項４３】
前記係止手段が、係止面を有する１つ以上の歯車を備える、請求項４２に記載の吸入装置。
【請求項４４】
前記係止手段が１つ以上の爪を備える、請求項４２又は４３に記載の吸入装置。
【請求項４５】
前記共通アクチュエータがマウスピースカバーを備える、請求項１〜４４のいずれか一項に記載の吸入装置。
【請求項４６】
前記第１の位置が、前記マウスピースカバーの全閉位置である、請求項４５に記載の吸入装置。
【請求項４７】
前記第２の位置が、前記マウスピースカバーの全開位置である、請求項４５又は４６に記載の吸入装置。
【請求項４８】
可動空気路構成要素を更に備える、請求項１〜４７のいずれか一項に記載の吸入装置。
【請求項４９】
前記可動空気路構成要素が、一体可動空気路を備える、請求項４８に記載の吸入装置。
【請求項５０】
前記吸入装置が、静止空気路構成要素及び前記可動空気路構成要素を備える分割空気路を備える、請求項４８に記載の吸入装置。
【請求項５１】
前記可動空気路構成要素が、薬剤担体からの蓋シートの分離を調節する剥離嘴部構成要素を提供する、請求項４８〜５０のいずれか一項に記載の吸入装置。
【請求項５２】
前記可動空気路構成要素が、薬剤担体の経路と実質的に一致しない経路、又は前記薬剤担体の経路から単にオフセットされた経路をたどる、請求項４８〜５１のいずれか一項に記載の吸入装置。
【請求項５３】
前記可動空気路構成要素が、実質的に直線の経路をたどる、請求項４８〜５２のいずれか一項に記載の吸入装置。
【発明の詳細な説明】
【技術分野】
【０００１】
本発明は吸入装置に関し、特に、蓋箔のような蓋シートで覆われる粉末薬剤の、個々のポケット又はブリスターを収容する薬剤担体が設けられる装置に関する。
【背景技術】
【０００２】
吸入装置を使用して空気路にエアロゾル形態の薬を送達することは、喘息及び慢性閉塞性肺疾患（ＣＯＰＤ）のような疾患を治療するための既知の有効な方法である。エアロゾルは、液体又は粉末の形態があり得る。
【０００３】
乾燥粉末装置は、しばしば患者の吸入空気流を用いて、乾燥粉末薬をエアロゾル化して送達する。この１つの利点は、使用者が例えばキャニスタを押し下げたり、ボタンを押して推進剤を放出したりするような、別の作用と吸気を調整する必要がないことである。
【０００４】
様々な異なる種類の乾燥粉末吸入器が知られている。
【０００５】
第１の装置群は、粉末薬を貯蔵容器内に保持し、送達前に用量を計量する。これらの装置は用量計量の精度が悪いことが多く、バルク粉末を湿気から保護することが困難であり得る。
【０００６】
また、事前計量乾燥粉末装置も知られており、これは製造工程の一部として正確な用量計量が行われ、各用量が独立して湿気から保護される。
【０００７】
事前計量装置で使用される個々の用量は、典型的にはゼラチンカプセル又は箔ブリスターのいずれかに保持される。カプセルベースの吸入装置は単純かつ低コストであり得るが、典型的には各使用の前に患者が吸入器にカプセルを装填する必要がある。また、カプセルも環境保護には特に効果的ではない。これは一般に二次的な箔ベースの包装を使用する必要があり、使用順序におけるステップの数及び厄介さを増加させる。
【０００８】
ブリスター装置は、ブリスター装置の構造にアルミニウム箔を使用することで、環境保護により良い傾向がある。ブリスターパックは、数回分、理想的には１ヶ月間十分に使用できる回数分の用量を収容し得るため、利用者にとってもより便利であり得る。
【０００９】
現在の喘息又はＣＯＰＤ治療薬のほとんどは１日に１〜２回使用されているため、吸入器には３０回又は６０回分の用量が収容できるようにすべきである。これらの用量を都合のよい大きさの装置に包装することを可能にするために、ブリスターをディスク形態又は細長いストリップ形態で構成することができる。吸入を行う前に個々のブリスターを開封する必要があり、患者が粉末薬を吸入するとき、粉末薬は患者の吸気気流に巻き込まれて装置から患者の肺に運び出される。各吸入前後又は吸入間に、あるブリスターによってパックを割り出し、先に空になったブリスターを未使用のブリスターと交換しなければならない。
【００１０】
ブリスターを開封して割り出しを行う様々な手段が先行技術から知られている。
【００１１】
特許文献１には、ディスク形態のブリスターパックを使用する吸入装置が開示されている。用量は円形パターンで配置され、各ディスクは８つのブリスターを収容する。プランジャを使用して各ブリスターを穿孔し、ブリスター内の薬を吸入することを可能にする。別個の割り出し機構がディスクを回転させて、未使用のブリスターを所定の位置に移動させる。
【００１２】
機械的には単純であるが、この装置の課題は、装置の大きさを小さくして動作を簡単にするために、投与回数が８回に制限されることである。ディスクベースの装置が３０又は６０回分の用量を収容し、なお許容可能な大きさであるように構成するには、ポケット形状の変更が必要であり、又は複数のディスク若しくは（例えば）同心円状若しくは螺旋パターンで形成される用量空洞のいずれかを有するより著しく複雑な装置が必要である。
【００１３】
この課題は、細長いストリップ形態のブリスターを有する類似の装置を提供することによって部分的に対処し得る。細長いストリップを吸入装置内でコイル状に巻いて、必要な包装空間を最小限に抑えることができる。別個の割り出し機構及び穿孔機構を設けることができ、又は単一の作動レバーを設けて、最初にブリスターストリップを割り出し、次にブリスターを穿孔して、吸入準備をすることができる。
【００１４】
これまでに説明したようなブリスターストリップ装置に適用される欠点は、ブリスターを穿孔する作用には、ブリスターを占有して部分的に閉塞する穿孔要素を伴う傾向があることである。その結果穿孔可能なブリスターは、穿孔器に対して空間を提供し、薬が自由に移動して気流に巻き込まれることを可能にするために、典型的には必要な用量の体積の２倍又は３倍の大きさが必要である。
【００１５】
代替手法は、剥離可能な蓋を有するブリスターストリップを使用することであり、吸入装置は、各吸入の前に各ブリスターの蓋を順次剥離する。このような吸入器の機構は、使用済みのベースシート／箔と、使用済みの蓋シート又は蓋箔の両方を管理する必要があるため、典型的にはより複雑である。しかし、ブリスターに穿孔器が入らず、また蓋が完全に取り外されるため、ブリスターは粉末薬を収容するのに十分な大きさであればよい。したがって、所与の用量サイズに対してより小さなブリスターを使用し得る。
【００１６】
特許文献２には、周知の剥離可能ストリップ装置が開示されている。この装置は、密封ブリスターのコイルと、使用済みベースシートのコイルと、使用済み蓋シートの別個のコイルと、を収容する。ベースシート及び蓋シートは開封ステーションで分離され、ここではストリップが割り出されるときに蓋がベースから引き剥がされる。したがって、３つのコイルは全て同時に移動する。主要ストリップ駆動装置はベースシートのブリスターに係合する凹部を組み込んだドラムであり、一方でベース及び蓋シートコイルもまた駆動されて、使用後に使用済みストリップが確実にコイル状に巻かれるようにする。使用済みのベースシート／箔は緩く巻かれ、一方で使用済みの蓋シートはしっかりと巻かれて、ベースシートから確実に分離するために必要な張力が維持される。
【００１７】
特許文献３にはこの装置の変形例が開示されており、同じ方法で割り出し及び開封する２つのブリスターストリップを組み込んでいる。２つのストリップは、開封するときに２つの未使用のブリスターが単一の空気路マニホールドの両側に置かれるように配置される。したがって、両方のブリスターの内容物を同時に吸入することができる。この方法の潜在的な利点は、２つの別個の薬又は薬の組み合わせを別個のブリスターに収納しつつも、一緒に吸入できることである。
【００１８】
剥離可能なストリップ装置で起こり得る１つの重大な使用誤りは、ブリスターの開封が、ほとんどの穿孔可能なブリスター装置のように別個の作用ではなく、ストリップが割り出されるときに行われることから発生し得る。典型的には、このような装置におけるユーザ入力は構成要素のセットに直接連結され、構成要素はストリップを同時に割り出し及び剥離して、使用者が吸入する空気路まで開封ブリスターポケットを提示する。その結果、作動機構が部分的にしか移動してないときにブリスターが開封され得る。これは、作動機構が、別個の作動レバーではなく、装置のマウスピースカバーによって駆動される装置において特に問題である。患者の一部がカバーを開いて、例えばマウスピースを点検又は清掃する場合、ブリスターは部分的に又は完全に開封され、したがってブリスターの内容物が環境の湿気に曝され得る。次いで使用者は、現在露出している製剤の潜在的な劣化に気付かずに、マウスピースカバーを未開放位置に戻すおそれがある。その後カバーを完全に開けて吸入すると、感染した用量を吸入するリスクがある。使用者がブリスターを早期に開封していることに気付いて関連する用量を使用しない場合でも、その用量が無駄になる。
【００１９】
この課題は、吸入器に呼吸作動機構を設けて、レバー又はマウスピースカバーの作動によりブリスターストリップを割り出すが、個々のブリスターは使用者の吸入時にのみ開封されるようにすることで軽減することができる。例えば特許文献４は、互いに永久的に封止されるベースシート及び蓋シートを備えるストリップと、各ブリスター空洞の上方で局所的に蓋シートに接着されて、蓋シートの一部分をブリスターの残りの部分から離して引き裂くことができる更なる引き裂きシートと、を有する装置を開示している。装置が作動するとき、ブリスターストリップは割り出されるが、呼気作動トリガーが蓋引き裂きシート巻取機構を駆動するバネを解放するまでは蓋引き裂きシートに張力が加えられない。効果的ではあるが、呼吸作動機構を含めることは吸入装置を著しく複雑にし、引き裂きストリップの構成はブリスターストリップの製造において標準的ではない。
【００２０】
特許文献５で議論されているように、１つの代替手法は、遅延作動機構、すなわちマウスピースカバーの最初の移動では割り出し機構及び開封機構を作動させない機構を提供することである。作動を遅延させることによって、誤作動のおそれが低減される。しかしながら、カバーが不完全に開くと装置が部分的に作動するおそれは依然としてある。
【００２１】
したがって、１つ以上の薬剤担体と共に使用するのに適した改良された吸入装置が必要とされており、これは患者がブリスターを誤って開封して薬剤を露出させることなく作動レバー又はカバーを動かすことを可能にする簡単な手段を有する。理想的には、レバー又はカバーは行程の大部分にわたって可逆的に移動可能であり、ブリスターを開封する点は作動移動の端部に近く、患者によって明確に識別可能であるべきである。
【先行技術文献】
【特許文献】
【００２２】
【特許文献１】米国特許第４６２７４３２号明細書
【特許文献２】米国特許第５５９０６４５号明細書
【特許文献３】米国特許第８５１１３０４号明細書
【特許文献４】米国特許第７４３４５７９号明細書
【特許文献５】米国特許第８７４６２４２号明細書
【発明の概要】
【発明が解決しようとする課題】
【００２３】
本発明の目的は、上述の課題の一部又は全てを軽減又は克服する一方、理想的には標準的なブリスターストリップのような従来の薬剤担体と共に使用するのに適している吸入装置を提供することである。
【課題を解決するための手段】
【００２４】
本発明の第１の態様によれば、特許請求の範囲の請求項１に定義された吸入装置を提供する。更なる任意の構成は、関連する従属請求項に記載されている。
【００２５】
本発明の更なる態様は、特許請求の範囲の請求項３１に定義された吸入装置を提供する。更なる任意の構成は、関連する従属請求項に記載されている。
【００２６】
本発明は、吸入装置の使用中に、割り出し動作及び剥離動作を切断するか、又は少なくとも部分的に分離する。例えばこれにより、割り出し及び剥離が異なる時間に開始されることを可能にし、及び／又は、１つ以上の剥離動作における１つ以上の特定の点（例えば、１つ以上の用量ポケットを開封し始める点のような、１つ以上の用量が損傷すると考えられる点）を、装置の作動においてより所望の点まで遅延させるが、１つ以上の割り出し動作を必ずしも同様に遅延させないことを可能にする。
【００２７】
装置へのユーザ入力、例えばキャップの開閉又はレバー／ボタンの動作を用いて、最初に１つ以上の薬剤担体の割り出しを開始し、次いで１つ以上の個々のブリスターからの１つ以上の蓋シート／箔の剥離を開始して、製剤を空気路に提示することができる。
【００２８】
したがって、本発明は、使用者が１つ以上の蓋シート／箔の剥離を開始することなく、又は少なくとも製剤のブリスターポケットを露出させることなく、所望の「確定（ｃｏｍｍｉｔｍｅｎｔ）」点で装置を開けることを可能にする。これは、用量を浪費する機会を少なくし、また劣化した製剤を吸入する機会を少なくすることを意味する。
【００２９】
確定点は、一般に、アクチュエータの動作の端部又はその付近に、例えばマウスピースが開く運動の端部又はそれに近接して配置されることになる。ただし、割り出し動作が開始された後の任意の点で提供されてもよい。例えば、薬剤担体の個々のブリスターを剥離して開封する動作は、割り出し動作の一部と一致してもよく、又は重なり合ってもよい。
【００３０】
一連の歯車付き構成要素を使用して、２つの別のブリスターストリップから活性医薬有効成分（ＡＰＩ）を送達する装置が知られている。
【００３１】
この種類のストリップベースの装置を設計するときの簡単な機械的解決策は、ユーザ入力（通常はレバー／ボタン又は装置のキャップのいずれか）を、ブリスターストリップを同時に割り出し及び剥離する構成要素のセットに直接連結させることである。１つ以上のブリスターストリップ内の個々の用量又はブリスターはこれによって剥離され、使用者が吸入する単一の／共通の空気路に提示される。
【００３２】
このシステムに共通する１つの欠点は、キャップを部分的に開くこと（又はレバー／ボタンを部分的に押し下げること）で用量が部分的に前進し、関連するブリスターポケットを部分的に又は完全に開封することである。次いでアクチュエータの解放又は戻りにより、現在露出している製剤の劣化を使用者に知らせることなく、ブリスターは「未剥離」位置に戻されるか、又はブリスターが到達した位置に残されたままとなり得る。
【００３３】
この課題は、バネを蓄勢し、バネをキャップ開放又はレバー動作の端部で解放し、ストリップの割り出し及び剥離を同時に行うことによって解決し得る。しかし、これは非常に強いバネを必要とする。とりわけ、ストリップが装置内で引っ掛かった場合に、ストリップを割り出すのに必要な力が潜在的に変化することになるからである。これにより入力に必要な力が増大し、装置を使用中の使用者の「感触」又はフィードバックに悪影響を与える。
【００３４】
別の既知の解決策は、（割り出し及び剥離）動作の開始を、キャップ開放／作動順序の途中まで遅延させることである。しかし、これにより使用者が必要なエネルギーをシステムに入力することができる運動範囲が減少し（使用者はキャップ開放又はレバー動作の単一部分で必要なエネルギーの全てを入力しなければならず）、これにより上述したような強力なバネの取り込みと同様の課題が生じる。
【００３５】
本発明によるシステムでは、剥離動作の関連部分、例えば吸入準備が整った用量を露出させる動作の部分又は段階を、割り出し動作の開始に対して遅延させることができる。より一般的に言えば、剥離動作の少なくとも一部を割り出し動作の同等の部分に対して遅延させる。例えば、剥離の開始を割り出しの開始に対して遅延させることができ、及び／又は剥離動作が３０％進行した点を、割り出し動作が３０％進行した点に対して遅延させることができる等である。用量を露出させる点を、キャップ開放又は代替アクチュエータの動作の間の可能な限り最も遅い瞬間まで遅延させることができる。
【００３６】
従来のシステムでは、割り出し及び剥離は同時にしか達成できない。剥離動作及び割り出し動作は機械的に連結されて、これらの進行が実質的に均衡となっており、上述のように一方を他方に対して遅延させることは不可能である。２つの作用を引き離す又は分離することにより、割り出し及び剥離構成要素／システムが単一のアクチュエータから不均衡に移動する可能性がある。したがって剥離動作を遅延させる利点は、より円滑な使用者体験及び改善されたフィードバックと組み合わされ得る。なぜなら、装置の割り出しは、依然としてアクチュエータの全動作にわたって行われ得るからである。
【００３７】
吸入用量を開封又は露出させる「剥離」動作の少なくとも一部を遅延させ、これを吸入装置の割り出しから切り離す又は引き離すという課題に対する解決策を提供するために、かなりの開発作業が必要であった。この解決策は、大きく分けて２つの主要な手法のうちの１つに分類することができる。すなわち、剥離前部における剥離に必要な張力レベル未満の蓋シートの張力調節−すなわち張力の欠如若しくはある程度までの低減−、又は移動「剥離嘴部」の使用による薬剤担体に対する剥離前部位置の維持のいずれかである。
【００３８】
＜蓋シートの張力調節＞
これは、吸入中に空気路が占める位置の下で薬剤担体を最初に割り出すことを含み、剥離前部（すなわち蓋シート又は箔が薬剤担体から取り外される位置）は、薬剤担体の次の未開封ブリスターと共に実質的に移動する。例えば剥離した蓋シートは、最初の割り出し中に薬剤担体内の１つ以上の未開封ブリスターの上に折り返すことができる。次いで、蓋シート巻き取りシステムは、アクチュエータの作動中の特定点に張力を加えるように作動するか、又は加えることを可能にすることができ、蓋シートを空気路の下で剥がし、開封したブリスターを空気路に露出させる。
【００３９】
この実施形態では、剥離前部（剥離分離線）の位置を能動的に維持するものは何もないので、割り出し動作中に蓋シート上に張力を加えないか、又は蓋シート上の張力を解放するか、若しくは「後退」させて、所望の瞬間まで剥離が起こらないことを確実にするべきである。
【００４０】
＜移動剥離嘴部＞
この選択肢は、薬剤担体と共に実質的に進む（薬剤担体ごとの）特定の構成要素の使用を含み、この構成要素は、割り出し中に剥離前部を薬剤担体に対して実質的に静止状態に保つ。次いで、この移動／可動剥離嘴部は所望の点で薬剤担体に対して移動し、所望の数のブリスター／ポケットを剥離／開封することを可能にする。例えば剥離嘴部が解放され、蓋シートの張力が剥離嘴部を引き戻し、したがって剥離を行うことができる。
【００４１】
いくつかの例では、移動剥離嘴部を含むことは、対処が必要であり得る関連する課題を生じさせ得る。剥離嘴部が通過しなければならない空間には、新たに剥離したブリスターと空気路との間に隙間が存在する結果となり得る。これは空気路の一部又は全部の移動、薬剤担体の移動、を含む様々な方法で解決することができるが、これらに限定されるものではない。
【００４２】
・空気路の一部又は全部の移動−空気路は、空気路と薬剤担体との間の（先に剥離嘴部によって占有又は通過された）隙間に移動することができ、これは以下を含む多くの方法で達成することができる。
・・剥離嘴部と空気路部分を結びつける−移動剥離嘴部構成要素は、剥離嘴部と共に移動（例えば回転又は平行移動）する、（おそらく真っすぐの）空気路の一部分（例えば空気路の余分な部分又は空気路全体）を含むか、又は空気路の一部分に取り付けられ、剥離嘴部によって先に占有又は通過された隙間を埋めることができる。
・・移動空気路の分離−空気路の一部分（例えば空気路の余分な部分又は空気路全体）は、剥離嘴部が剥離を行う／剥離を可能にした後に／可能にするときに、薬剤担体に向かって移動（例えば回転又は平行移動、又は他のより複雑な移動）して、剥離嘴部が先に占有又は通過した隙間を閉じることができる。
【００４３】
・薬剤担体の移動−薬剤担体は、剥離嘴部の回転後／回転のとき、例えば割り出し構成要素又は別の構成要素によって、空気路に向かって移動（例えば平行移動）し、剥離嘴部が先に占有又は通過した隙間を閉じることができる。
【００４４】
剥離嘴部の移動及び割り出し構成要素の移動は、単一の構成要素又は機構によって連結することができ、又は同時に駆動することができる。
【００４５】
空気路の吸入位置の下で剥離する選択肢及び移動剥離嘴部を使用する選択肢の両方は、一般に、蓋シート巻き取りシステムが薬剤担体と共に剥離前部を実質的に移動させることができる必要がある。
【００４６】
これを達成する一つの方法は、（剥離中の）巻き取りシステムと剥離前部の開始位置及び端位置との間の距離が実質的に同じ場所に、蓋シート巻き取りシステムを位置させることである。例えば巻き取りシステムは、剥離前部の移動の垂直二等分線上（又はその近傍）に位置し得る。同様に、巻き取りシステムと剥離前部の開始位置（剥離開始時）との距離が巻き取りシステムと剥離前部の端位置（剥離終結時）との距離よりも大きい場所に蓋シート巻き取りシステムを位置させることによって、この効果を達成することができる。例えば巻き取りシステムは、剥離前部の開始位置及び端位置を通って打たれる線並びに剥離前部の端位置を通って打たれる線の両方に対する垂直な直線を越えて（すなわち剥離前部の開始位置とは反対側に）位置し得るため、一方向に動作する（すなわち蓋シート／箔を巻き取る）ことだけを必要とすることになる。
【００４７】
代替手法は、いくつかの蓋シート、例えば蓋シートの１割り出し長さ（単一の割り出しステップ又は用量に関連する蓋シート／箔の長さ）を「解放」することができるように、蓋シート巻き取りシステムを構成することである。これは、剥離する事象が起こるときに、この解放された長さの蓋シート、例えば合計で２割り出し長さに等しい長さの蓋シートを余分に巻き取る必要がある。従来の巻き取りシステムは一方向的であり、張力を解放する及び／又は反対方向に走行する必要性を想定していない。この機能の提供は様々な方法で達成し得る。以下にいくつかの例を示す。
【００４８】
＜バネ張力＞
移動剥離嘴部が設けられている場合には、バネ要素を巻き取りシステムの駆動系に組み込むことができる。次いでシステムは、いくつかの蓋シートを十分な張力下で割り出しシステムから自動的に解放することを可能にする。この強制開放により余分なバネポテンシャルエネルギーが発生し、次にバネポテンシャルエネルギーにより剥離中に必要とされる余分な巻き取りが行われることになる。例えば以下を含む様々な方法でバネ付勢を提供することができる。
・バネ式巻き取りドラム又は他の巻き取りシステム（巻き取りドラム又はハブに組み込まれるコイルバネ等）
・駆動系の他の場所にあるバネ式複合歯車又は他のバネ式要素
・弾性変形してエネルギーを蓄え得る蓋シート材料、又は、
・蓋シートのバネ誘起張力、例えば、
・・蓋シートに作用する１つ以上のバネ式テンショナ
・・剥離嘴部から跳ね上がる巻き取りシステム、例えばバネ式アームに取り付けられる巻き取りドラム。
【００４９】
蓋シートのバネ誘起張力を張力構成要素の能動的な移動と組み合わせて、１つ以上の蓋シート／バネが受ける最大力をシステムが低減することを可能にできる。
【００５０】
既知のシステムでは、巻き取りシステムの駆動系にバネを含めることは、使用中に使用済みシートが巻き取られるときに巻き取りドラムの直径が成長することを単に補正するためであった。バネはこれまで、割り出し中に巻き取りシステムを反対方向に走行させる手段として考えられていなかった。
【００５１】
＜制御張力＞
この手法は、十分な量の蓋シートの張力を能動的に制御（例えば低減又は解放）して、
剥離前部が必要な量の薬剤担体と共に実質的に移動して、実質的な又は望ましくない剥離を回避することを含む。これを達成することができる方法はいくつかあり、巻き取りシステムの移動、巻き取りシステムの反転、テンショナ解放、割り出し中にストリップ及び剥離前部を実質的に静止状態に保つこと、を含む。
【００５２】
・巻き取りシステムの移動−巻き取りシステム（通常は巻き取りドラム）を移動させ、例えば巻き取りシステムを剥離前部に向かって１割り出し距離だけ平行移動させ、剥離前部が同じ距離だけ移動するのに十分な量の蓋シートを解放又は移動させることを可能にする。
【００５３】
・巻き取りシステムの反転−クラッチ又は類似の機構を解放すること、例えば巻き取りシステムのラチェットセットを係合解除すること、又は必要な量だけ巻き取りシステムを能動的に反転させること（例えば、巻き取りドラムを適切な角度で回るラチェット車輪に取り付けて、蓋シートを十分に弛ませることを可能にし、次いで剥離中に反対方向に回すこと）。
【００５４】
・テンショナ解放−張力部材を蓋シート張力経路から取り除く又は移動させ、シートのある距離（例えば１割り出し距離）を解放して、剥離前部がストリップと共に実質的に移動することを可能にする程度まで、シートを部分的に又は完全に真っ直ぐにすることを可能にすること。
【００５５】
・割り出し中にストリップ及び剥離前部を実質的に静止状態に保つこと−ストリップ又は剥離前部を移動させることなく割り出しを行い、例えば割り出し車輪でストリップを必要な距離だけ回転させて割り出しを行い、一方で割り出し車輪を巻き取りシステムに向かって同じ距離だけ移動させ、ストリップ及び剥離前部を効果的に静止状態に保つこと。
【００５６】
割り出しと剥離を分離する別の利点は、二重ストリップ装置における一方又は両方の車輪を割り出しするような装置の動作の一部を、キャップ閉鎖（又はアクチュエータの別の類似の反転動作）中に実行することを可能にすることである。次いで、必要なユーザ入力を更に大きな運動範囲にわたって、すなわちアクチュエータ動作の１つ以上の部分にわたって分散させ、必要な力を更に低減し、更に円滑に動作させることができる。
【００５７】
第１の態様による吸入装置は、割り出しシステムと、開封システムと、割り出しシステム及び開封システムに対する共通アクチュエータと、を有する作動機構を備え、割り出しシステムは薬剤担体を前進させ、薬剤担体は複数の薬剤ポケット又はブリスター及びブリスターを覆う蓋箔のような剥離可能な蓋シートを有するベースを備え、開封システムは、薬剤担体から蓋シートを剥離してブリスターを開封し、共通アクチュエータは、中間位置を介して第１の位置と第２の位置との間で移動可能であり、開封システムの進行は、共通アクチュエータが移動している間の割り出しシステムの進行に対して不均衡である。
【００５８】
使用中、単一の定義された運動範囲を通る共通アクチュエータの移動により、割り出しシステムが十分に移動又は進行して薬剤担体を単一用量だけ前進させ、及び開封システムが十分に移動又は進行して薬剤担体の対応する長さから蓋シートを完全に取り外すが、開封システムと割り出しシステムの移動は均衡していない。言い換えれば、開封システム及び割り出しシステムの全移動／全進行の速度比又は割合は、吸入装置の動作中に一定ではない。
【００５９】
共通アクチュエータの第１の運動範囲を通る移動により、割り出しシステムが動作することができ、共通アクチュエータの第２の運動範囲を通る移動により、開封システムが動作することができ、割り出しシステムが開封システムから引き離されて（例えば分断又は分離されて）、前記第１の運動範囲が前記第２の運動範囲と同じでないようにすることができる。開封システムと割り出しシステムとを引き離すことにより、従来技術のように、一方が他方から大きく独立して移動することができ、これらの移動が均衡をとる必要がない。
【００６０】
共通アクチュエータの定められた移動により、割り出しスシステム及び開封システムの両方が動作することができ、アクチュエータの移動速度に対する開封システムの移動速度は、アクチュエータの定められた移動中に変化することができる。
【００６１】
代替的に、共通アクチュエータの定められた移動により、割り出しシステムが動作して薬剤の１用量を前進させ、及びブリスター内の薬剤を露出させることなく剥離が起こる第１の動作段階と、前記剥離によってブリスター内の薬剤が露出する第２の動作段階とを通して開封システムが移動し、これにより吸入準備ができた薬剤の用量が提供され、剥離システムの前記第２の動作段階は、割り出しシステムの前記動作が３０％完了するまで遅延することができる。蓋シートのいくつかの剥離が装置の動作の初期に起こり得るが、ブリスターポケットの縁部上でシートを剥離して薬剤を実際に露出させるときの動作の重要な部分は、動作の後半まで遅延する。
【００６２】
開封システムの第２の、又は重要な動作段階は、割り出しシステムの前記動作が５０％完了するまで、又は６０％、７０％、８０％、９０％、９５％若しくは１００％完了するまで遅延させることができる。
【００６３】
薬剤の用量は、特定の投与計画に従って吸入装置によって送達される用量として定義することができる。これは必要に応じて、単一のブリスター若しくはブリスターのペア、又はそれ以上の内容物を含むことができる。
【００６４】
定められた移動は、例えば第１の位置から第２の位置への移動、又は第２の位置から第１の位置への移動及び第２の位置に戻る移動であり得る。
【００６５】
共通アクチュエータの前記第１の位置からの移動、例えば第１の位置から離れる任意の移動により、割り出しシステムが前進することができ、共通アクチュエータの中間位置を越える移動のみにより、開封システムが作動することができる。
【００６６】
前記第１の位置と前記中間位置との間の位置から前記第１の位置に戻る前記アクチュエータの反転移動により、割り出しシステムの前記前進が反転し得る。これは、吸入装置が不正確又は不完全に作動する間、用量が部分的に前進及び／又は露出することを回避するのに役立つ。アクチュエータは、ある点、例えば用量を剥離又は露出する点まで移動し、次いで、用量を部分的に前進又は露出させることなくその初期位置に戻ることができる。したがって、吸入装置の次の「正しい」又は完全な動作は、不正確な又は不完全な作動によって損なわれない。これは、アクチュエータの移動時に直ちに割り出しが始まる場合に特に関連する。
【００６７】
また、第２の位置と第１の位置との間、すなわち第２の位置から第１の位置に向かって移動する方向へのアクチュエータの移動により、割り出しシステムが前進することができる。
【００６８】
吸入装置は、共通アクチュエータによって駆動される中央ハブを更に備えることができる。
【００６９】
吸入装置は、歯車リンク機構又は例えばカムプレートのようなカムシステムを更に備えて、中央ハブから割り出しシステムに駆動を伝達することができる。
【００７０】
作動機構は、トリガー構成要素を更に備えることができ、トリガー構成要素の移動により開封システムが始動する。トリガー構成要素は、プッシュロッド又はスライダのような直線移動構成要素とすることができ、直線移動構成要素は、開封システム内のバネ付勢構成要素を解放する。
【００７１】
共通アクチュエータの中間位置を越える移動により、トリガー構成要素が移動することができる。
【００７２】
作動機構は、開封システムを制御するカムを更に備えることができる。
【００７３】
作動機構は、薬剤担体から剥離される使用済み蓋シートを受け入れる蓋シート巻き取り構成要素と、共通アクチュエータ及び蓋シート巻き取り構成要素の間の駆動系と、を更に備えることができる。駆動系は、中央ハブを備えることができる。
【００７４】
作動機構は、割り出しシステムの前進中に蓋シートに発生する張力を調節する手段を備えることができる。システムは、能動的（例えば駆動される）であってもよく、又は受動的であってもよく、アクチュエータが第１の位置にある状態で装置が放置又は収納されているときに、蓋シートの張力を最小限に抑えることができる。
【００７５】
駆動系の共通中心上に設けられる２つの回転構成要素の間に、ねじりバネを設けることができる。例えば、歯車付き駆動系内の２つの積み重ねられた歯車の間にねじりバネを設けることができる。２つの回転構成要素は、中央論理ハブ内にあってもよいし、又は駆動系内の更なる駆動要素内にあってもよいし、又はバネ式遊動部（ｉｄｌｅｒ）を形成してもよい。
【００７６】
割り出しシステムの前進中に、使用済み蓋シートの張力によってねじりバネが蓄勢（ｃｈａｒｇｅｄ）される。これにより、蓋シートの受動的な張力調節を形成することができる。
【００７７】
割り出しシステムの前進前又は前進中に、駆動系が蓋シート巻き取り構成要素を能動的に移動させ、例えば回転させて、蓋シートの張力を調節する、例えば蓋シートの張力を低減する又は蓋シートに弛みを生じさせることができる。
【００７８】
割り出しシステムの前進中に、剥離した蓋シート、例えば能動的な張力調節によって弛みが発生した蓋シートの少なくとも一部は、薬剤担体の未開封部分の上に折り返すことができる。
【００７９】
吸入装置は、薬剤担体からの蓋シートの分離を調節する剥離嘴部構成要素を更に備えることができる。剥離嘴部構成要素は、特に、使用中の剥離嘴部に近接する薬剤担体上の位置における蓋シートの剥離／分離に抵抗することができる。
【００８０】
剥離嘴部構成要素は、割り出しシステムの前進中又は前進前に移動可能である。例えば剥離嘴部は、割り出し中に割り出しシステムの構成要素と共に移動することができる。
【００８１】
剥離嘴部構成要素は、薬剤担体の経路と実質的に一致する経路、又は薬剤担体の経路からオフセットされた経路をたどることができる。
【００８２】
剥離嘴部構成要素は、割り出しシステムの構成要素、例えば割り出し車輪のような移動割り出し装置に選択的に係合することができる。
【００８３】
剥離嘴部構成要素は、割り出しシステムの前記構成要素に選択的に係合する爪又はラチェットを備えることができる。
【００８４】
割り出しシステムは、第１の薬剤担体及び第２の薬剤担体を割り出しする手段を備えることができ、第１の薬剤担体及び第２の薬剤担体の各々は、複数の薬剤ポケット又はブリスターを有するベースと、ブリスターを覆う剥離可能な蓋シートと、を備える。３つ以上の薬剤担体を前進させる手段を提供することができる。
【００８５】
開封システムは、第１の薬剤担体及び第２の薬剤担体の各々から蓋シートを剥離するように構成することができ、共通アクチュエータの前記第１の位置からの移動により、割り出しシステムが動作して第１の薬剤担体を前進させることができ、共通アクチュエータの中間位置を越える移動のみにより、開封システムが動作して第２の薬剤担体のブリスターから蓋シートを剥離することができる。
【００８６】
割り出しシステムは、前記第１の薬剤担体及び第２の薬剤担体を割り出しする、別個の第１の割り出し装置及び第２の割り出し装置を備えることができる。
【００８７】
割り出しシステムは、第１の割り出し装置及び第２の割り出し装置を不均衡に前進させることができ、すなわち、第１の割り出し装置の進行は第２の割り出し装置の進行に対して不均衡である。
【００８８】
第１の薬剤担体及び第２の薬剤担体を前進させる第１の割り出し装置及び第２の割り出し装置を備える割り出しシステムと、第１の割り出し装置及び第２の割り出し装置の共通アクチュエータと、を有する作動機構を備える吸入装置が提供され、共通アクチュエータは、中間位置を介して第１の位置と第２の位置との間で移動可能であり、第１の割り出し装置の進行は、第２の割り出し装置の進行に対して不均衡である。進行は、共通アクチュエータの移動中又は移動後に行うことができ、例えば進行は、アクチュエータの移動が完了した後にバネ力を解放することによって駆動することができる。
【００８９】
第１の割り出し装置及び第２の割り出し装置は、特に、共通アクチュエータの移動中に同時に前進しなくてもよく、すなわちこれらの移動が相互に排他的であってもよい。
【００９０】
第１の運動範囲を通る共通アクチュエータの移動により、第１の割り出し装置が動作し、第２の運動範囲を通る共通アクチュエータの移動により、第２の割り出し装置が動作し、第１の割り出し装置は第２の割り出し装置から引き離されて、前記第１の運動範囲が前記第２の運動範囲と同じでないようにすることができる。
【００９１】
共通アクチュエータが前記第２の位置から前記第１の位置に移動するときに、割り出しシステムは、第１の割り出し装置及び第２の割り出し装置のうちの１つを前進させることができる。
【００９２】
第１の割り出し装置及び第２の割り出し装置のうちの少なくとも１つ、場合によっては両方が、割り出し車輪を備えることができる。
【００９３】
割り出しシステムは代替的に単一の割り出し装置を備えることができ、割り出し装置は割り出し車輪を備えることができる。
【００９４】
割り出し車輪又は各割り出し車輪は、回転可能であり、ブリスターストリップの形態の薬剤担体を前進させ、ブリスターストリップの個々のブリスターを受け入れる空洞を備えることができる。
【００９５】
開封システムは、前記第１の薬剤担体及び第２の薬剤担体の各々の上のブリスターを同時に剥離して開封するように構成することができる。
【００９６】
共通アクチュエータの前記中間位置は、共通アクチュエータの前記第１の位置よりも前記共通アクチュエータの前記第２の位置に近くてもよい。例えば中間位置は、共通アクチュエータの前記第１の位置と第２の位置との間の全移動の最後の４５％、３５％、２５％、２０％若しくは１５％以内、又は全移動範囲内であってもよい。
【００９７】
共通アクチュエータの前記中間位置は、共通アクチュエータの前記第２の位置に近接し、例えば共通アクチュエータの前記移動の０〜１０％以内、及び／又はアクチュエータが円弧状に移動する１０°以内であってもよい。
【００９８】
作動機構は、間欠駆動面及び／又は係止面を有する１つ以上の歯車を備えることができる。これにより、使用中に作動システムの要素（例えば、蓋シート巻き取り構成要素、個々の割り出し装置、移動剥離嘴部等）を間欠的に駆動及び／又は係止することが可能になる。
【００９９】
割り出しシステムは係止手段を備えることができ、係止手段は、割り出しシステムの１つ以上の構成要素、例えば１つ以上の割り出し装置／割り出し車輪の移動を選択的に防止する。
【０１００】
係止手段は、係止面を有する１つ以上の歯車を備えてジュネーブ係止を提供することができ、及び／又は１つ以上の爪を備えることができる。
【０１０１】
共通アクチュエータは、マウスピースカバーを備えることができ、第１の位置は、マウスピースカバーの全閉位置、すなわち吸入器のマウスピースが完全に覆われているマウスピースカバーの位置とすることができる。第２の位置は、マウスピースカバーの全開位置、すなわち装置のマウスピースが完全に覆われていないマウスピースカバーの位置とすることができる。
【０１０２】
あるいは、アクチュエータは、別個のレバー、ボタン又は他のアクチュエータを備えることができ、第１の位置及び／又は第２の位置は、アクチュエータの定義された停止位置とすることができる。
【０１０３】
吸入装置は、一体の可動空気路として、又は静止空気路構成要素及び可動空気路構成要素を備える分割空気路の一部として、可動空気路構成要素を更に備えることができる。可動空気路構成要素は、薬剤担体からの蓋シートの分離を調節する剥離嘴部構成要素を提供する。
【０１０４】
可動空気路構成要素は、薬剤担体の経路と実質的に一致しない経路、又は薬剤担体の経路から単にオフセットされた経路をたどることができる。例えば可動空気路構成要素は、実質的に直線の経路をたどることができる。薬剤担体は、例えば湾曲経路又は円形経路をたどることができる。
【０１０５】
本発明は、１つ以上の薬剤担体を収容する装置において用いられ、意図しない剥離によって製剤が環境に偶発的に露出するリスクを最小限にしながら、使用者が吸入する製剤を機械的に有利な方法で放出することができる。
【０１０６】
実施可能な限りにおいて、本発明の任意の１つの態様に関して定義された必須の又は好ましい構成のいずれかを、任意の更なる態様に適用することができる。したがって本発明は、上記で定義された構成の様々な代替構成を備えることができる。
【図面の簡単な説明】
【０１０７】
【図１】本発明の第１実施形態による吸入装置の内部の斜視図である。
【図２】図１と同様の図であるが、構成要素がいくつか取り除かれている。
【図３】図１の装置の分解図である。
【図４】吸入装置の中央ハブからの第１の構成要素を示す。
【図５】吸入装置の中央ハブからの第２の構成要素を示す。
【図６】吸入装置の中央ハブからの第２の構成要素を示す。
【図７】中央ハブを吸入装置の第１の駆動系組立体に連結する歯車構成要素を示す。
【図８】第１の駆動系組立体を示す。
【図９】中央ハブを吸入装置の第２の駆動系組立体に連結する歯車構成要素を示す。
【図１０】第２の駆動系組立体を示す。
【図１１】中央ハブを吸入装置の第３の駆動系組立体に連結する歯車構成要素を示す。
【図１２】第３の駆動系組立体の正面図である。
【図１３】第３の駆動系組立体の構成要素を示す。
【図１４】第３の駆動系組立体の構成要素を示す。
【図１５】第３の駆動系組立体の背面図である。
【図１６】図１の吸入装置の全体機構の背面図である。
【図１７】図１６に示す機構の動作を示す。
【図１８】図１６に示す機構の動作を示す。
【図１９】図１６に示す機構の動作を示す。
【図２０】図１６に示す機構の動作を示す。
【図２１】図１６に示す機構の動作を示す。
【図２２】図１６に示す機構の動作を示す。
【図２３】ブリスターストリップ、蓋箔及びベース箔の経路を例示する、機構の正面図である。
【図２３Ａ】図２３において「Ａ」とマークされた領域の詳細図である。
【図２４】代替剥離機構の例を示す。
【図２５】図２４の代替剥離機構を組み込んだ、本発明の第２の実施形態による吸入器の分解図である。
【図２６】図２５の吸入器の機構の正面図である。
【図２７】図２５の吸入器の機構の背面図である。
【図２８】図２５の吸入器からの剥離アクチュエータ構成要素を示す。
【図２９】図２５の吸入器からの剥離アクチュエータ構成要素を示す。
【図３０】図２５の吸入器からのラチェット構成要素を示す。
【図３１】本発明の第３の実施形態による吸入器の背面分解図である。
【図３２】図３１の吸入器の機構の正面斜視図である。
【図３３】図３１の吸入器の機構の背面斜視図である。
【図３４】図３３の機構の背面詳細図である。
【図３５】図３１の吸入器からの取付プレートの背面図である。
【図３６】本発明の第４の実施形態による吸入器の正面分解図である。
【図３７】図３６の吸入器からの構成要素の斜視図である。
【図３８】図３６の吸入器からの構成要素の斜視図である。
【図３９】図３６の吸入器からの構成要素の斜視図である。
【図４０】図３６の吸入器からの構成要素の斜視図である。
【図４１】図３６の吸入器の組み立てられた機構の正面図である。
【図４２】図３６の吸入器の動作を示す。
【図４３】図３６の吸入器の動作を示す。
【図４４】図３６の吸入器の動作を示す。
【図４５】図３６の吸入器の動作を示す。
【図４６】図３６の吸入器の後部における歯車装置を示す。
【図４７】本発明の第５の実施形態による吸入器の分解図である。
【図４８】第１の構成における図４７の吸入器の一部の断面図である。
【図４９】図４７の吸入器からのカムプレートの背面図である。
【図５０】第１の構成における図４７の吸入器の更なる断面図である。
【図５１】第２の構成における図４７の吸入器の正面図である。
【図５２】図４７の吸入器を通るブリスターストリップのペアによって取られる経路を示す。
【図５３】図４７の吸入器の後部における歯車装置を示す。
【図５４】図４７の吸入器の動作を示す。
【図５５】図４７の吸入器の動作を示す。
【図５６】図４７の吸入器の動作を示す。
【図５７】図４７の吸入器の動作を示す。
【図５８】図４７の吸入器の動作を示す。
【図５９】図４７の吸入器の動作を示す。
【図６０】図４７の吸入器の動作を示す。
【図６１】本発明の第６の実施形態による吸入器の分解図である。
【図６２】図６１の組み立てられた吸入器の正面図である。
【図６３】図６２の吸入器の背面図である。
【図６４】図６２の吸入器の第１の背面断面図である。
【図６５】図６２の吸入器の更なる背面図である。
【図６６】本発明の第７の実施形態による吸入器の分解図である。
【図６７】図６６の吸入器からの入力歯車の斜視図である。
【図６８】図６７からの駆動歯車の上面図である。
【図６９】図６６の吸入器の機構の一部の正面図である。
【図７０】マウスピースカバーが開く間の機構の一部の移動を示す。
【図７１】マウスピースカバーが開く間の機構の一部の移動を示す。
【図７２】マウスピースカバーが開く間の機構の一部の移動を示す。
【図７３】マウスピースカバーが開く間の機構の一部の移動を示す。
【図７４】マウスピースカバーが開く間の機構の一部の移動を示す。
【図７５】マウスピースカバーが開く間の機構の一部の移動を示す。
【図７６】マウスピースカバーが開く間の機構の更なる部分の移動を示す。
【図７７】マウスピースカバーが開く間の機構の更なる部分の移動を示す。
【図７８】図６６の吸入器の駆動機構を示す。
【図７９】図６６の吸入器のストリップ管理機構を示す。
【図８０】本発明の第８の実施形態による吸入器の分解図である。
【図８１】図８０の吸入器からの割り出し装置の斜視図である。
【図８２】図８０の吸入器からの剥離嘴部の第１の部分の斜視図である。
【図８３】図８０の吸入器からの剥離嘴部の第２の部分の斜視図である。
【図８４】図８０の吸入器の係止機構の動作を示す。
【図８５】図８０の吸入器の係止機構の動作を示す。
【図８６】図８０の吸入器からの前部プレートの正面図である。
【図８７】図８０の吸入器からの入力ラチェットの斜視図である。
【図８８】図８０の吸入器のマウスピースの開封部を示す。
【図８９】図８０の吸入器のマウスピースの開封部を示す。
【図９０】本発明の第９の実施形態による吸入器の背面分解図である。
【図９１】図９０の吸入器からのハブ歯車の斜視図である。
【図９２】図９０の吸入器からの移動空気路構成要素の斜視図である。
【図９３】図９０の吸入器からのマウスピースカバーの斜視図である。
【図９４】マウスピースカバーが開く間のマウスピースの移動を示す。
【図９５】マウスピースカバーが閉じる間のマウスピースの移動を示す。
【図９６】図９０の吸入器の駆動機構を示す。
【発明を実施するための形態】
【０１０８】
本発明の実施可能な実施形態は、添付の図面を参照して、単なる例として、以下に更に詳細に説明される。
【０１０９】
図１は、本発明の第１の実施形態による吸入装置２の内部を示す。吸入装置２は、薬剤の細長いブリスターストリップを使用するように構成される。薬剤の細長いブリスターストリップは、薬剤の個々のブリスターポケットを画定するベースシート／箔と、蓋箔の形態の蓋シートと、を備える。蓋箔の形態の蓋シートは、ベース箔から剥離されてポケットが開放され、吸入する薬剤が露出する。
【０１１０】
中間シャーシ４は、ブリスターストリップを受け入れ及び誘導する、装置の内部室及び経路を画定し、後部シャーシ６は、装置内の様々な回転構成要素１２、１４、２２、２４、３０の取付ポストを提供する。空気路マニホールド８は、マウスピースとのインターフェースを可能にする構成を備え、中間シャーシ４の頂部の開封部において受け入れられ、可動マウスピースカバー１０（明確にするため後半部のみ示す）も設けられている。
【０１１１】
第１の割り出し車輪１２及び第２の割り出し車輪１４はそれぞれ、凹部１３、１５を提供し、凹部１３、１５は、第１の割り出し車輪１２及び第２の割り出し車輪１４が回転するときに、２つの別個のブリスターストリップのブリスターポケットを受け入れ、ブリスターポケットを空気路マニホールド８の開封部１６の下の適所に前進させる。未開封の複数のブリスターストリップは、中間シャーシ４によって画定される収納室１８内に一緒にコイル状に巻かれて収納されている。ここから、２つのブリスターストリップのうちの第１のブリスターストリップは、中間シャーシ４内の第１の通路２０を通って第１の割り出し車輪１２の周りを時計回りに供給され、その後、ベース箔が第１のスプール車輪２２と係合する。同様に、第２のブリスターストリップは、収納室１８から第２の通路２６を通って第２の割り出し車輪１４の周りを反時計回りに供給され、その後、ベース箔が第２のスプール車輪２４に取り付けられる。
【０１１２】
使用時には、第１のブリスターストリップ及び第２のブリスターストリップの各々からの蓋箔が、それぞれ第１の割り出し車輪１２及び第２の割り出し車輪１４においてベース箔から分離される。第１のスプール車輪２２及び第２のスプール車輪２４は、第１の割り出し車輪１２及び第２の割り出し車輪１４と共に回転して、使用済みベース箔をコイル状に巻く。２つの蓋箔は、ピボット２９で中間シャーシ４に取り付けられる張力バランサ２８の両側を通過してから、共通の巻き取りドラム３０に係合する。第１のブリスターストリップ及び第２のブリスターストリップ内のブリスターを剥離して開封する必要があるとき、巻き取りドラム３０の回転により蓋箔に張力が発生する。両方の蓋箔が同じドラム３０上に巻かれるので、第１の蓋箔及び第２の蓋箔の張力にわずかな不均衡が生じることがある。しかし、張力バランサ２８の両側に沿って蓋箔により大きな張力がかかることにより、ピボット２９を中心として張力バランサ２８が他方の箔に向かって付勢する役割を果たすことになる。これは、２つの蓋箔の張力が均衡するまで、高張力箔に続く経路を効果的に短くし、低張力箔に続く経路を効果的に長くする。このように、蓋箔の張力を許容可能な張力範囲内に維持することができる。
【０１１３】
図２は、吸入装置内部の同様の図であり、中間シャーシ４及び空気路マニホールド８が取り除かれて吸入装置２の様々な構成要素間の歯車装置が露出している。使用時には、マウスピースカバー１０が矢印３２及び矢印３４で示すように開閉することにより、機構が作動して、割り出し車輪１２、１４、スプール車輪２２、２４及び巻き取りドラム３０が所定の順序で駆動して、吸入用量を割り出し及び剥離する。この順序は中央論理ハブ３６によって制御され、この中央論理ハブ３６は、後部シャーシ６から延在するスピンドル３８上に取り付けられ、マウスピースカバー１０の移動によって直接駆動される。
【０１１４】
中心論理ハブ３６は、３つの駆動歯車４０、４２、４４と同心円状に取り付けられ、３つの駆動歯車４０、４２、４４は、中心論理ハブ３６を取り囲んで選択的に係合している。巻き取りドラム駆動歯車４０は、巻き取りドラム３０の基部に係合する歯車装置と見ることができ、第１の割り出し車輪駆動歯車４２は、第１の割り出し車輪１２及び第１のスプール車輪２２に係合する歯車装置と見ることができる。図２ではよく見えないが、第２の割り出し車輪駆動歯車４４もまた、第２の割り出し車輪１４及び第２のスプール車輪２４上の歯車装置に係合するように設けられている。
【０１１５】
図３は、図１の吸入装置２の分解図であり、中央論理ハブ３６を構成する構成要素を見ることができる。中央論理ハブ３６の２つの主要構成要素は、第１の割り出し車輪駆動歯車４２及び第２の割り出し車輪駆動歯車４４に係合する割り出し駆動ラチェット車輪４６と、巻き取りドラム駆動歯車４０及び巻き取りドラムラチェット車輪５０に係合する剥離駆動ラチェット車輪４８であり、巻き取りドラムラチェット車輪５０は、巻き取りドラム３０及び巻き取りドラム駆動歯車４０と共に巻き取りドラム駆動系６０を形成する。図３はまた、より詳細に後述するように、第１の割り出し車輪駆動系５２及び第２の割り出し車輪駆動系５４を構成する構成要素を示す。中央論理ハブ３６内の割り出し駆動ラチェット車輪４６と剥離駆動ラチェット車輪４８との間にねじりバネ５６が配置され、並びに、スライダ５８が設けられて、割り出し駆動ラチェット車輪４６及び剥離駆動ラチェット車輪４８の一方又は他方の回転に選択的に抵抗する。
【０１１６】
また、後部シャーシ６には、スライダ５８を受け入れるチャネル６２と、略三日月形状の開口部６４と、が設けられている。マウスピースカバー１０上に形成される内側凸部６６及び外側凸部６８は、開口部６４を通って延びている。また、開口部６４は、割り出し駆動ラチェット車輪４６の後部にある突出部及び剥離駆動ラチェット車輪４８を受け入れて、これらの構成要素がマウスピースカバー１０の回転運動によって駆動され得る。より具体的には、マウスピースカバーが開く（図１に示す位置から時計回りに移動する）と、内側凸部６６が割り出し駆動ラチェット車輪４６に係合して時計回りに駆動し、一方、マウスピースカバー１０が閉じると、外側凸部６８が剥離駆動ラチェット車輪４８に係合して反時計回りに駆動することになる。
【０１１７】
スライダ５８は、割り出し駆動ラチェット車輪４６及び剥離駆動ラチェット車輪４８の一方を「係止」することを可能にし、一方で、マウスピースカバー１０の回転により他方を回転させる。これにより、ねじりバネ５６に付勢力が構築され、次いで、スライダ５８を移動させて先に係止されていた構成要素を解放することによって、この付勢力を解放することができる。
【０１１８】
後部シャーシ６はまた、第１のラチェット爪７２及び第２のラチェット爪７４を提供し、第１の割り出し車輪１２及び第２の割り出し車輪１４をそれぞれ選択的に係止する。
【０１１９】
図４は、中央論理ハブ３６からの割り出し駆動ラチェット車輪４６の後部を示す。車輪４６は、後面から延在するリング形状ボス７８を有する略円形プレート７６を備えている。フランジ７８内のプレート７６の後面には凹部８０が設けられ、ねじりバネ５６のアームを受け入れる。プレート７６の円周周りには、２つの円周方向ラチェット爪８２と、２つの軸線方向ラチェット爪８４と、が設けられている。円周方向ラチェット爪８２及び軸線方向ラチェット爪８４は、互いに反対の回転方向に駆動力を与えるように配向されている。図４はまた、ボス７８の端部から延在する突出部８６と、ボス７８の外周に形成される凹部８８と、を示す。突出部８６はマウスピースカバーの内側凸部６６に係合するものであり、凹部８８はスライダ５８を受け入れて、割り出し駆動ラチェット車輪４６を回転に対して係止する。
【０１２０】
図５及び図６は、剥離駆動ラチェット車輪４８をより詳細に示す。図５には背面図が提供され、略円形プレート９０を示し、略円形プレート９０は、片側に大きな切り抜き部分９２を有し、他方の側に略三日月形状スロット９４及び２つの小さな切り抜き部分９６を有する。突出部９８は、スロット９４の縁部に近接してプレートの後面から延在し、マウスピースカバー１０上に形成される外側凸部６８に係合する。図６は、剥離駆動ラチェット車輪４８の正面図である。プレート９０の前部から延在するリング形状ボス１０２の外周の周りには、４つの半径方向ラチェット爪１００が設けられている。プレート９０がラチェット爪１００の移動を妨げないように、半径方向ラチェット爪１００のうち２つは車輪４８の大きな切り抜き部分９２が設けられている領域に位置し、他の２つはより小さな切り抜き部分９６の位置に対応する。プレート９０の外周には、切欠き１０６のペアと共に、小さな歯付き部分１０４が設けられている。
【０１２１】
リング形状ボス１０２の内径は、中央論理ハブ３６が組み立てるときに、割り出し駆動ラチェット車輪４６のボス７８を受け入れるのに十分な大きさである。組み立てるとき、割り出し駆動ラチェット車輪４６上のボス７８の端部から延在する突出部８６は、スロット９４を通過して、剥離駆動ラチェット車輪４８のプレート９０の後面から、剥離駆動ラチェット車輪４８のプレート９０上に直接形成される突出部９８と同じ程度まで延在する。
【０１２２】
図７は、第１の割り出し車輪駆動歯車４２の後面を示す。駆動歯車４２の後面には内部空洞１１０が示されており、空洞１１０の内周壁１１４の周りには４つの半径方向に延びる切欠き１１２が設けられている。空洞１１０の直径は、図４に示す割り出し駆動ラチェット車輪４６の略円形プレート７６を受け入れるのに十分であり、円周方向ラチェット爪８２が４つの切欠き１１２のうちの２つに受け入れられる。
【０１２３】
図８には、第１の割り出し車輪駆動系５２の残りと共に、組立体が示されている。円周方向ラチェット爪８２の切欠き１１２への係合により、割り出し駆動ラチェット車輪４６から第１の割り出し車輪駆動歯車４２への駆動を、反時計回りの方向１１６（図８は組立体の背面図）にのみ伝達する。突出部８６がマウスピースカバーの内側凸部６６に係合することによってマウスピースが開く間に発生する、割り出し駆動ラチェット車輪４６の時計回りの移動中に、円周方向ラチェット爪８２は切欠き１１２から撓むことができ、切欠き１１２は、割り出し駆動ラチェット車輪４６と第１の割り出し車輪駆動歯車４２との間の相対回転を可能にする。第１の割り出し車輪１２の後面に設けられるボス１１８は、後部シャーシ６上の第１のラチェット爪７２に係合する切欠き１２２を提供して、第１の割り出し車輪１２の対応する方向への回転に抵抗する。従って、第１の割り出し車輪駆動系５２は、マウスピースカバーが閉じる間にのみ、第１の割り出し車輪１２及び第１のスプール車輪２２を駆動する。
【０１２４】
図９は、リング形状の第２の割り出し車輪駆動歯車４４をより詳細に示す。駆動歯車４４の前面には４つの傾斜凹部又は切欠き１２４が設けられ、４つの傾斜凹部又は切欠き１２４は、割り出し駆動ラチェット車輪４６のボス７８がリング内に受け入れられるとき、割り出し駆動ラチェット車輪４６に設けられる軸線方向ラチェット爪８４に係合する。割り出し車輪駆動歯車４４の内径１２０は、剥離駆動ラチェット車輪４８のリング形状ボス１０２の内径と同じであり、割り出し駆動ラチェット車輪４６のボス７８を受け入れる。
【０１２５】
図１０は、上述した第２の割り出し車輪駆動歯車４４及び割り出し駆動ラチェット車輪４６の組立体を組み込んだ、第２の割り出し車輪駆動系５４の正面図である。軸線方向ラチェット爪８４は、切欠き１２４のうちの２つに係合して示されており、割り出し駆動ラチェット車輪４６からの時計回り駆動１２６が、第２の割り出し車輪駆動歯車４４に伝達される。上述したように、割り出し駆動ラチェット車輪４６は、マウスピースカバー１０が開く間に割り出し駆動ラチェット車輪４６の後面上の突出部８６がマウスピースカバーの内側凸部６６に係合することによって、時計回り１２６に駆動される。それゆえ、マウスピース１０が開くときには、第２の割り出し車輪１４及び第２のスプール車輪２４が共に駆動される。対照的に、割り出し駆動ラチェット車輪４６の反時計回りの回転により、軸線方向ラチェット爪８４が切欠き１２４から撓み、切欠き１２４は、割り出し駆動ラチェット車輪４６と第２の割り出し車輪駆動歯車４４との間の相対的回転を可能にする。
【０１２６】
図１１は、リング形状巻き取りドラム駆動歯車４０をより詳細に示す。駆動歯車４０の内周壁１３２には、ラチェット歯として機能する多数の切欠き１３０が設けられている。内周壁１３２によって画定される開口は直径１３６を有し、この直径１３６は、剥離駆動ラチェット車輪４８のボス１０２を受け入れる大きさである。
【０１２７】
図１２は、巻き取りドラム駆動系６０の正面図である。剥離駆動ラチェット車輪４８のボス１０２は、巻き取りドラム駆動歯車４０の背後から挿入され、剥離駆動ラチェット車輪４８の半径方向ラチェット爪１００が切り切欠き１３０に係合して、剥離駆動ラチェット車輪４８の時計回りの回転１３８を巻き取りドラム駆動歯車４０に伝達する。巻き取りドラム駆動歯車４０は、巻き取りドラム３０の基部の周りに設けられる歯車歯１４０に係合して、巻き取りドラム３０に回転を伝達する。巻き取りドラム３０の片側の保持機構のペア１４２は、蓋箔のペアの自由端部を保持して、使用時には巻き取りドラム３０の反時計回りの回転１４４により蓋箔に張力を加えて、蓋箔を巻き取りドラム３０の本体周りに巻き付ける。
【０１２８】
剥離駆動ラチェット車輪４８のプレート９０は、巻き取りドラム駆動歯車４０の後面に対し支持され、巻き取りドラム駆動歯車４０の歯車歯の間にはプレート９０の略円形輪郭を見ることができる。巻き取りドラムラチェット車輪５０の一部も、図１２の正面図において、巻き取りドラム３０の背後に見える。
【０１２９】
図１３は、巻き取りドラム３０の背面図である。巻き取りドラム３０の基部の周りの歯車歯１４０は、後面に設けられるラチェット歯のリング１４６のリングと共に明瞭に見ることができる。使用時には、ラチェット歯１４６はラチェット爪のペア１４８に係合し、ラチェット爪のペア１４８は、巻き取りドラムラチェット車輪５０の両側に設けられて、図１４に示す巻き取りドラムラチェット車輪５０の前面から延在している。歯車歯１５０は、内向き湾曲部分１５２に近接して、巻き取りドラムラチェット車輪５０の外縁部分に設けられている。
【０１３０】
図１５は、巻き取りドラム駆動系６０の背面図である。この背面図では、巻き取りドラムラチェット車輪５０上のラチェット爪１４８及び歯車歯１５０が、巻き取りドラム３０上のラチェット歯１４６及び剥離駆動ラチェット車輪４８上の歯付き部分１０４にそれぞれ係合している様子を示している。歯車歯１５０が歯付き部分１０４に係合したまま、剥離駆動ラチェット車輪４８の時計回りの回転１３８が巻き取りドラムラチェット車輪５０に伝達され、この結果生じる反時計回りの回転１４４が、ラチェット爪１４８及びラチェット歯１４６を介して巻き取りドラム３０に伝達されることになると理解されるだろう。歯車歯１５０が歯付き部分１０４の端部に到達するとき、巻き取りドラムラチェット車輪５０の内向き湾曲部分１５２は、剥離駆動ラチェット車輪４８の湾曲外縁部を受け入れ、ジュネーブ様式係止を提供して巻き取りドラムラチェット車輪５０を更なる回転に対して保持する。前述したように、ラチェット爪１４８は、ラチェット歯１４６を越えて撓み、剥離駆動ラチェット車輪４８及び巻き取りドラム駆動歯車４０によって駆動される巻き取りドラム３０の更なる反時計回りの回転１４４を可能にする。しかしラチェット爪１４８は、ラチェット歯１４６に係合して、巻き取りドラムラチェット車輪５０が静止している間に巻き取りドラム３０の任意の時計回りの回転に抵抗することができる。
【０１３１】
図１６は、吸入装置２の全機構の背面図であり、吸入装置２は、中央論理ハブ３６と、巻き取りドラム駆動系６０と、第１の割り出し車輪駆動系５２及び第２の割り出し車輪駆動系５４と、を含む。また、背面図は、第１の割り出し車輪１２の後面に設けられるボス１１８及び切欠き１２２と同様に、第２の割り出し車輪１４の後面にあるボス１２８の切欠き１３４を示す。第２の割り出し車輪１４の切欠き１３４は、後部シャーシ６に設けられる第２のラチェット爪７４に係合するように構成され、これは第１の割り出し車輪１２の切欠き１２２が第１ラチェット爪７２に係合するのと同様である。しかし、反対方向への回転に抵抗する。
【０１３２】
マウスピースカバー１０も断面図で示され、マウスピースカバー１０上に形成される内側凸部６６及び外側凸部６８を含んでいる。内側凸部６６は、剥離駆動ラチェット車輪４８内の略三日月形状スロット９４を通って延在する、割り出し駆動ラチェット車輪４６の突出部８６に当接して示されている。外側凸部６８は、剥離駆動ラチェット車輪４８上の突出部９８に当接して示されている。スライダ５８も、破線で図示されるスライダ５８の不明瞭な前面に設けられるタブ１５４と共に示されている。タブ１５４は、割り出し駆動ラチェット車輪４６の凹部８８（図示せず）又は剥離駆動ラチェット車輪４８に設けられる同様の凹部１５６のいずれかに係合して、一方又は他方の構成要素を回転に対して選択的に係止する。
【０１３３】
図１６に図示するように、マウスピースカバー１０は完全に開いており、用量は吸入装置２から吸入されたばかりである。この位置からの装置２の動作を以下の図面で説明する。
【０１３４】
図１７は、マウスピースカバーが閉じる初期段階を示す。マウスピース１０は、矢印の方向３２に約４５°回転している。外側凸部６８が剥離駆動ラチェット車輪４８上の突出部９８に係合して、剥離駆動ラチェット車輪４８を直接駆動し、吸入装置２を正面から見たときの反時計回りである、マウスピースカバー１０と同じ方向１５８に回転させる。他の構成要素はいずれも図１６に示す位置から回転しない。ラチェット爪１００は、剥離駆動ラチェット車輪４８が巻き取りドラム駆動歯車４０内で反時計回りに回転することを可能にする。剥離駆動ラチェット車輪４８の湾曲外縁部は、巻き取りドラムラチェット車輪５０上の歯車歯１５０が剥離駆動ラチェット車輪４８の歯付き部分１０４への係合に近づくとき、図１７に示す点の直後まで、巻き取りドラムラチェット車輪５０の内側湾曲部分１５２を越えて走行する。スライダ５８のタブ１５４は、割り出し駆動ラチェット車輪４６の凹部８８に係合して割り出し駆動ラチェット車輪４６の回転を防止し、これにより割り出し車輪１２、１４のいずれも割り出しを行わない。剥離駆動ラチェット車輪４８と割り出し駆動ラチェット車輪４６との間の相対回転によって、ねじりバネ５６が蓄勢される。
【０１３５】
図１８は、次の動作段階を示す。マウスピースカバー１０が閉鎖３２を続けると、剥離駆動ラチェット車輪４８の更なる反時計回りの回転１５８が生じ、歯付き部分１０４が巻き取りドラムラチェット車輪５０上の歯車歯１５０に係合する。これにより巻き取りドラムラチェット車輪５０及び関連する巻き取りドラム３０が、（正面から見たときに）時計回り１６０に回転し、これによりマウスピースカバー１０が閉じるときに両蓋箔の張力が低減する。タブ１５４は、依然として割り出し駆動ラチェット車輪４６の回転を防止しているが、ここでは剥離駆動ラチェット車輪４８に設けられる凹部１５６の縁部に近接している。剥離駆動ラチェット車輪４８上の半径方向突出部１５３も、スライダ５８の半径方向内側端部に近接している。
【０１３６】
図１９は、マウスピースカバー１０が全閉位置にあることを示す。マウスピースカバー１０が移動３２し続けると、巻き取りドラム３０が時計回り１６０に更に回転して、蓋箔への張力が更に低減し、巻き取りドラム３０と第１の割り出し車輪１２及び第２の割り出し車輪１４との間の蓋箔が弛む。
【０１３７】
剥離駆動ラチェット車輪４８も更に回転して確定点を越えており、確定点では、割り出し駆動ラチェット車輪４６の凹部８８に設けられる半径方向凸部１５３及び傾斜面と、剥離駆動ラチェット車輪４８に設けられる凹部１５６とが、スライダ５８を半径方向外向きに誘導／付勢して、タブ１５４が凹部８８から凹部１５６内に移動する。ここで自由である割り出し駆動ラチェット車輪４６は、割り出し駆動ラチェット車輪４６の突出部８６がマウスピースカバー１０の内側凸部６６に当接するまで反時計回りの方向に回転することによって、ねじりバネで駆動され、剥離駆動ラチェット車輪４８に「追いつく」。図８に関連して上述したように、割り出し駆動ラチェット車輪４６のこの反時計回りの回転１１６は、第１の割り出し車輪駆動系５２を介して伝達されて、第１の割り出し車輪１２を時計回りの方向１６２に１つの凹部１３又は１用量だけ前進させ又は割り出して、同様に第１のスプール車輪２２を駆動してベース箔を巻き取る。剥離駆動ラチェット車輪４８の切欠きのペア１０６は、後部シャーシ６上のラチェット爪７２、７４と整列するように位置し、ラチェット爪７２、７４が撓むことを可能にして、第１のラチェット爪７２が第１の割り出し車輪の回転を妨げないようにする。
【０１３８】
割り出し動作は最初の使用済み蓋箔にも張力を加えるが、これは巻き取りドラム３０の時計回りの回転１６０によって生じる弛みを巻き取るのに役立つだけである。この結果、蓋箔はブリスターストリップから剥離せず、代わりに第１の割り出し車輪１２と空気路マニホールド８の開封部１６との間に設けられる空間内の未開封ブリスターストリップの上に折り返される。これは、図２３Ａにより詳細に示されている。
【０１３９】
図２０は、マウスピースカバー１０が開く初期段階を示す。マウスピースカバー１０が開移動３４することにより、マウスピースカバー１０の内側凸部６６と割り出し駆動ラチェット車輪４６の突出部８６との係合を介して、割り出し駆動ラチェット車輪４６が時計回り１２６に回転する。図９及び図１０で上述したように、この時計回りの回転１２６により第２の割り出し車輪１４及び第２のスプール車輪２４が駆動され、両方が反時計回りの方向１６４に回転して、第２のブリスターストリップが前進／割り出しを開始する。剥離駆動ラチェット車輪４８は回転に対して係止されたままであり、巻き取りドラム３０は駆動せず、切欠き１０６はラチェット爪７２、７４の移動を可能にし続けて、第２のラチェット爪７４は第２の割り出し車輪１４の反時計回りの回転１６４を妨げない。
【０１４０】
図２１は、マウスピースカバーの更なる開放３４と、結果として生じる割り出し駆動ラチェット車輪４６の更なる時計回りの回転１２６と、結果として生じる第２の割り出し車輪１４及び第２のスプール車輪２４の反時計回りの回転１６４と、を図示する。ここで第２の割り出し車輪１４は、図１９に示す位置から、１つの凹部１５又は１用量だけ前進又は割り出ししている。以前と同様に、マウスピースが閉じる間に蓋箔に生じる弛みは、割り出し中に蓋箔が第２のブリスターストリップから剥離することを回避する。タブ１５４は図２１の割り出し駆動ラチェット車輪４６の凹部８８に近接しており、任意の更なる移動により、タブ１５４を剥離駆動ラチェット車輪４８の凹部１５６から割り出し駆動ラチェット車輪４６の凹部８８へと付勢することになる。
【０１４１】
図２２では、マウスピースカバーは、更なる確定点を通って／越えて、マウスピースカバーの全開位置まで移動３４している。割り出し駆動ラチェット車輪４６の最終的な時計回りの回転１２６により、タブ１５４が剥離駆動ラチェット車輪４８の凹部１５６から割り出し駆動ラチェット車輪４６の凹部８８に半径方向内向きに移動することを可能にする。これにより、剥離駆動ラチェット車輪４８が自由になり、ねじりバネ５６の駆動下で時計回りに回転１３８し、この回転が巻き取りドラムラチェット車輪５０及び巻き取りドラム３０の両方に伝達される。
【０１４２】
巻き取りドラムの突然の回転１４４ｂによって、両方の蓋箔に同時に張力が加わり、各ブリスターストリップ内の次の吸入用量が露出する。図１２〜図１５に関連して上述したように、巻き取りドラム３０の反時計回りの回転１４４ｂは、巻き取りドラムラチェット車輪５０の反時計回りの回転１４４ａよりも大きくなる。これにより、巻き取りドラム３０は用量の投与後にマウスピースが閉じる時に蓋箔の張力を解放する一方、マウスピースが開く時に次の用量から蓋箔を効果的に剥離することを可能にする。また、剥離駆動ラチェット車輪４８の突然の回転によって、切欠き１０６が移動して後部シャーシ６上のラチェット爪７２、７４と整列しなくなり、第１の割り出し車輪１２及び第２の割り出し車輪１４を回転に対して効果的に係止する。
【０１４３】
使用者が露出した用量を吸入すると、吸入器は、図１６に示して説明した構成に戻る。
【０１４４】
図２３は吸入機構の一部の概略的な正面図であり、吸入装置２を通る第１のブリスターストリップ１６６及び第２のブリスターストリップ１６８の経路を図示する。図１９に関連して説明したように、吸入器のマウスピースカバー１０は完全に閉じているので、巻き取りドラム３０は時計回り１６０に回転して、分離した第１の蓋箔１７０及び第２の蓋箔１７２の張力を能動的に解放する。しかし、第１の割り出し車輪１２の時計回りの回転１６２により、第１のブリスターストリップ１６６のベース箔１７４が前進し、第１の割り出し車輪の周りで第１の蓋箔１７０が引きずられる。前述したように、巻き取りドラム３０の時計回りの回転１６０によって各蓋箔１７０、１７２に１割り出し距離に相当する弛みが生じるので、第１の割り出し車輪１２を前進／割り出ししても、第１の蓋箔１７０には張力がほとんど又はまったくない。
【０１４５】
この段階では第２の割り出し車輪１４は回転していないので、第２の蓋箔１７２は弛んだままである。このように、第１の割り出し車輪１２の急激な移動によって第１の蓋箔１７０に発生し得る任意の過剰な張力１７６は、第２の蓋箔１７２に向かう張力バランサ２８の移動１７８によって受け入れることができる。したがって、張力バランサ２８は張力を解放又は管理する更なる手段として作用することができ、第１の割り出し車輪１２が既にこの位置に前進／割り出ししていても、マウスピースカバー１０を閉じた状態で両方の蓋箔１７０、１７２の張力が最小限に維持される。
【０１４６】
図２３Ａは、図２３に「Ａ」と記された部分の拡大図である。第１のブリスターストリップ１６６は、第１の割り出し車輪１２の周りを通過するように示されており、第１の充填ブリスターポケット１８０及び第２の充填ブリスターポケット１８２、並びに空のブリスターポケット１８４が図示されている。第２の充填ブリスターポケット１８２は、空気路マニホールド８の開封部１６の下の位置まで前進している。第１の蓋箔１７４は、第１の割り出し車輪１２と空気路マニホールド８との間の空間において、第２の充填ブリスターポケット１８２の上に折り返し１８６されている。巻き取りドラム３０の反時計回りの回転１４４ｂによって蓋箔１７０、１７２に張力１８８が加えられるとき、第１の蓋箔１７０は、中間シャーシ４に設けられる静的な剥離嘴部又は端停止部１９０の周りに引っ張られて、第２の充填ブリスターポケット１８２から剥離されることになる。
【０１４７】
前述の説明から、吸入装置２の機構の動作は、機構の単一の作動（マウスピースカバー１０の移動）から生じるいくつかの別個の作用を含み、これらの作用は多数の確定点を包含することが理解されるだろう。いくつかの確定点を越え、一方で他の確定点に未到達のままである場合に発生する可能性のある問題としては、例えば以下のものが挙げられる。
・バネの過蓄勢及び過少蓄勢
・装置の強制的な同期解除
・ブリスターの剥離失敗、又は吸入製剤の適切な提示の失敗
・不正確な用量計量
・失敗をもたらす構成要素の過大張力。
【０１４８】
したがって、このような作用は互いに結び付けられ又は連結されることが有益であり、もはや分離可能ではなく、十分な同期を伴うことでこれらの課題を回避しなければならない。
【０１４９】
上述のこの吸入装置２は、「追いつき」機構を使用する。マウスピースカバー１０が開くときに、マウスピースカバー１０は割り出し駆動ラチェット車輪４６を駆動し、割り出し駆動ラチェット車輪４６は開放角度だけ回転してからスライダ５８を解放する。スライダ５８は、剥離が完了するまで剥離駆動ラチェット車輪４８を解放して回転する。マウスピースカバー１０が閉じる間、剥離駆動ラチェット車輪４８は、スライダ５８をリセットするまで後退駆動される。これにより割り出し駆動ラチェット車輪４６は解放されて、第１の割り出し車輪１２が割り出しするまで後退回転する。
【０１５０】
ラチェット／爪は、割り出し駆動ラチェット車輪４６を第１の割り出し車輪１２及び第２の割り出し車輪１４の両方に連結するとともに、割り出し車輪１２、１４の両方を後部シャーシ６に連結し、巻き取りドラム３０を巻き取りドラムラチェット車輪５０に連結する。吸入装置２は、これらのラチェットリセット点の全てが、スライダ５８が解放される確定点に「スレーブ」であることを確実にすることを目的とする。
【０１５１】
マウスピースが開く時の確定点において、スライダ５８は、凹部８８、１５６上に設けられる傾斜面によって、剥離駆動ラチェット車輪４８により割り出し駆動ラチェット車輪４６に強制的に押し下げられるか、又は半径方向内向きに押し込まれる。これにより、スライダ５８が解放されて剥離駆動ラチェット車輪４８が回転可能なときに、割り出し駆動ラチェット車輪４６の最終的な回転は小さくなる。この最終的な回転は、ラチェットをリセットする窓、具体的には、第２の割り出し車輪１４の移動及び第１の割り出し車輪駆動歯車４２に対する割り出し駆動ラチェット車輪４６の移動に関連するラチェットをリセットする窓を提供する。これらは割り出し駆動ラチェット車輪４６の移動の最終部分で起こるので、剥離駆動ラチェット車輪４８の移動に結び付くことになり、別々に作動することが不可能となる。
【０１５２】
戻りストローク時、マウスピースカバー１０が閉じるときに、剥離駆動ラチェット車輪４８がスライダ５８を割り出し駆動ラチェット車輪４６との係合から押し戻すのに十分なほど回転するとき確定点が生じ、これに関連するラチェット爪リセットと共に、割り出し駆動ラチェット車輪４６を回転させて第１の割り出し車輪１２に割り出しさせる。したがってこの割り出しは確定点に結び付けられ、どちらも別々に作動することができない。
【０１５３】
全体的な発明概念の範囲から逸脱することなく、記載された吸入装置に対する様々な変更が可能である。例えば第１の割り出し車輪１２及び第２の割り出し車輪１４の回転は、上述のように第１の爪７２及び第２の爪７４によってではなく、第１の割り出し車輪１２及び第２の割り出し車輪１４上に設けられる湾曲ジュネーブ係止面と、剥離駆動ラチェット車輪４８上に設けられる湾曲ジュネーブ係止面とを相互作用させることによって、選択的に防止することができる。
【０１５４】
蓋シート／箔の剥離は、代替手段によって達成することもできる。例えば割り出し車輪は、ストリップを回して割り出しする間に直線的に移動するように配置され、割り出し車輪をストリップに沿って１つのブリスターポケット分だけ効果的に転がしてから、割り出し車輪の回転を係止して割り出し車輪の軸線を元の位置に後退するように平行移動させることができる。これにより蓋箔巻き取りシステムは、割り出し車輪が平行移動するときに蓋箔を剥離することを可能にするだろう。代替的に、割り出し中に第１の割り出し車輪１２及び第２の割り出し車輪１４の両方のうち一方と共に回転する移動剥離嘴部を設けてから、解放して蓋箔の剥離を可能にすることができる。これらの配置はいずれも移動剥離前部位置を本質的に提供し、これにより蓋箔の張力を能動的に後退させて弛ませ、その後張力を再度加えて剥離動作を行う必要性を回避する。これは、より複雑でない全体的な機構を提供することを潜在的に可能にする。
【０１５５】
図２４は、移動剥離嘴部配置の例を示す。簡単に説明すると、この図は、単一の割り出し車輪２１４が見える、代替吸入装置の機構の片側を示す。図示の機構は、中央入力ハブ歯車２３６と、使用済み蓋シート又は箔の巻き取りドラム／ハブ２３０と、使用済みベース／ベース箔を受け入れるスプール車輪２２４と、も含む。
【０１５６】
割り出し車輪２１４の周りには、移動剥離嘴部構成要素２９０が設けられている。移動剥離嘴部構成要素２９０は、剥離前部を画定し、ラチェット爪２９２を備え、このラチェット爪２９２は、割り出し車輪２１４上に設けられるか、又は割り出し車輪２１４に関連して設けられる、ラチェット歯２９６に係合するように示されている。ラチェット爪２９２上にはピン２９４が設けられており、バネ式剥離アクチュエータ（図示せず）が必要に応じてラチェット爪２９２をラチェット歯２９６から係合解除することができる。
【０１５７】
未使用のブリスターストリップを収納する収納ハブ２１８も示されている。収納ハブ２１８は、前部歯車又は内側歯車２１８Ａと、後部歯車又は外側歯車２１８Ｂとを備え、これらの歯車の間にはねじりバネが配置されている。内側歯車２１８Ａは、図示のように入力ハブ歯車２３６の回転によって駆動され、この駆動は割り出し車輪２１４及びスプール車輪２２４に直接伝達されて、ブリスターストリップを前進させる。巻き取りドラム／ハブ２３０は、その代わりに外側歯車２１８Ｂに係合する。移動剥離嘴部２９０が割り出し車輪２１４と共に回転するときに、蓋箔に発生する張力が巻き取りドラム／ハブ２３０を巻き取り方向に対して回転させ、外側歯車２１８Ｂを内側歯車２１８Ａとは反対方向に駆動し、収納ハブ２１８内のねじりバネを蓄勢する。
【０１５８】
用量を開封するとき、剥離アクチュエータ（図示せず）はピン２９４に係合して、ラチェット爪２９２をラチェット歯２９６から解放する。これにより移動剥離嘴部構成要素２９０が自由になり、割り出し車輪２１４に対して回転する。次いで、蓄勢されたねじりバネは、後部／外側歯車２１８Ｂを駆動して蓋箔を巻き取り、割り出し車輪２１４が静止状態で保持されているときに用量を剥離して開封する。
【０１５９】
移動剥離嘴部構成要素２９０はまた、空気路の余分部分（図示せず）を含み、割り出し車輪２１４上の剥離した用量／ブリスターと吸入装置のマウスピースとの間に通路を提供する。
【０１６０】
図２４に示される機構は吸入器の後部プレート２０６に対して組み立てて示され、完全な機構の左側を構成する。入力ハブ歯車２３６は、後部プレート２０６を通してマウスピースカバー（図示せず）に接続される後部ラチェットリング２４０によって取り囲まれて、機構が矢印の方向２３４にのみ駆動される。この駆動は、マウスピースを閉位置から開位置に移動するときに起こる。
【０１６１】
図２５は、移動剥離嘴部構成要素２９０を組み込んだ完全な吸入器２０２の分解図である。後部プレート２０６は分解図から省略されているが、図２４で論じた残りの構成要素は、収納ハブ２１８の前部歯車２１８Ａ及び後部歯車２１８Ｂとの間に設けられるねじりバネ２５６と共に示されている。マウスピース及び空気路マニホールド２０８と、マウスピースカバー２１０と、直線的に移動する剥離アクチュエータ２５８と、も示されている。
【０１６２】
図２５には、機構の右側を構成する同等の構成要素も示されている。機構の右側は、前部入力ハブ歯車２３６′によって駆動され、前部入力ハブ歯車２３６′は、前部ラチェットリング２４０′によって取り囲まれている。右側の割り出し車輪には符号２１２が付され、右側のスプール車輪には符号２２２が付され、他の構成要素には左側の構成要素と同等の符号が付されてプライム記号で区別されている。機構の左半部及び右半部は一般的に類似しているが、組立体の後部に向かって追加歯車２２８が設けられて、右側収納ハブ２１８′の一部を形成する。
【０１６３】
簡単に説明すると、本発明による吸入器のこの第２の実施形態は、中央ハブに接続される移動マウスピースカバーを備え、中央ハブは、それぞれ別個の歯車系に関連付けられる一方向ラチェット車輪のペアを備える。これにより、マウスピースカバーを閉じる作用で第１の割り出し車輪が前進し、一方マウスピースカバーが開く作用で第２の割り出し車輪が前進することが可能になる。中央ハブには、バネ剥離アクチュエータの移動を制御するカムトラックも組み込まれている。マウスピースカバーが中間位置又は確定点を越えて開くとき、上述のように剥離アクチュエータが解放されて剥離嘴部構成要素のペアが自由になり、マウスピースが閉じる時にリセットされる。剥離アクチュエータは、直線運動に拘束される。
【０１６４】
用量吸入後、機構の右側が最初に前進するので、以下、右側の構成要素を第１の割り出し車輪２１２、第１のスプール車輪２２２等と呼ぶこととする。
【０１６５】
図２６は、組み立てられた機構の正面図である。図示のように、マウスピースカバーは用量吸入後に閉じている。前部ラチェットリング２４０′は、マウスピースが閉じるときに前部入力歯車２３６′を矢印の方向２３２に回転させ、機構の右側を前進させて第１の割り出し車輪２１２を１ステップ／用量だけ回転させ、第１の剥離嘴部構成要素２９０′を図示の位置まで回転させる。
【０１６６】
マウスピースカバー２１０が閉じる間、入力歯車２３６′は収納ハブ２１８′の内側歯車２１８Ａ′を直接駆動し、この直接駆動は、第１の割り出し車輪２１２（追加歯車２２８を介して−図２７参照）及び第１のスプール車輪２２２に伝達されて、ブリスターストリップを前進させる。第１の巻き取りドラム／ハブ２３０′は、外側歯車２１８Ｂ′に係合される。移動剥離嘴部２９０′が割り出し車輪２１４と共に回転するとき、蓋シート／車輪に発生する張力が巻き取りドラム／ハブ２３０を巻き取り方向に対して回転させ、外側歯車２１８Ｂ′を内側歯車２１８Ａ′とは反対方向に駆動し、第１の収納ハブ２１８内のねじりバネ２５６′を蓄勢する。また、前部ラチェットリング２４０′に設けられる剥離アクチュエータカムトラック２４１は、付勢バネの力に抗して剥離アクチュエータ２５８を図示の位置まで垂直下方に移動させて、第１の剥離嘴部２９０′は回転中に第１の割り出し車輪から係合解除されない。
【０１６７】
マウスピースカバー２１０が開くとき、前部ラチェットリング２４０′は矢印の方向２３４に回転する。これによりラチェット爪２５０′を撓ませ、マウスピースが開く間には駆動が機構に伝達されない。
【０１６８】
図２７は、組み立てられた機構の背面図である。図２５に示されている構成要素の後面が、第１の割り出し車輪２１２に係合されている追加歯車２２８と共に見える。追加歯車２２８は、第１の収納ハブ２１８′の内側車輪２１８Ａ′に直接接続されており、マウスピースカバーが閉じるときに追加歯車２２８が回転すると、図２６に示すように第１の割り出し車輪２１２を直接駆動する。マウスピースカバーが開くことによって後部ラチェットリング２４０が方向２３４に回転すると、図２５に示すように第２の割り出し車輪２１４、第２のスプール車輪２２４等を駆動する。ラチェット爪２５０は撓み、マウスピースが閉じる間に機構を前進させることなく、後部ラチェットリング２４０が矢印の方向２３４に回転することを可能にする。追加歯車２２８は後部入力歯車２３６に係合していないため、後部ラチェットリング２４０のいかなる移動によっても駆動されない。
【０１６９】
したがって、２つの一方向ラチェットリング２４０、２４０′は、マウスピースの開閉時に機構の異なる半部側を駆動することが理解されるだろう。特に、第１の割り出し車輪２１２はマウスピース２１０が閉じる間にのみ駆動され、第２の割り出し車輪２１４はマウスピースが開く間にのみ駆動される。
【０１７０】
図２８及び２９は、剥離アクチュエータ２５８を隔離して示している。図２８の正面図は、前部ラチェットリング２４０′内のカムトラック２４１に係合する、剥離アクチュエータ２５８の下端部におけるピン２６０を示す。図２９は、剥離アクチュエータ２５８の後部上の先端部（ｐｒｏｎｇ）のペア２６２を示す。使用時には、先端部２６２が両方の剥離嘴部２９０、２９０′のラチェット爪２９２のピン２９４に同時に係合して剥離嘴部２９０、２９０′を解放し、巻き取りドラム／ハブ２３０、２３０′が回転して２つのブリスターストリップの各々から蓋箔を引き出し、吸入用量を露出させることを可能にする。
【０１７１】
図３０は、前部ラチェットリング２４０′の後側を示し、剥離アクチュエータ２５８のピン２６０を誘導するカムトラック２４１の詳細を提供する。カムトラックを通るピン２６０の経路が矢印で図示されている。用量が吸入器から放出されるとき、外側トラック２４２は、マウスピースカバー２１０を閉じることによって回転２３２が生じる間に、ピン２６０を前ラチェットリング２４０′に対して内向きに付勢する。これにより、マウスピースカバー２１０が完全に閉じるまで、バネの力に抗して剥離アクチュエータ２５８を下方に移動させる。マウスピースカバー２１０が開く２３４間に、ピン２６０は内側トラック２４４によって代わりに拘束され、内側トラック２４４は、剥離アクチュエータ２５８を退避位置に保持する。外側トラック２４２と内側トラック２４４との間に弾性仕切板（ｄｉｖｉｄｅｒ）２４６が設けられて、内側トラック２４４の外壁を提供する。仕切板２４６は、マウスピースカバーが閉じる間にピン２６０がカムトラック２４１の（図示の）左端部に近づくときに撓み、ピン２６０が外側トラック２４２から内側トラック２４４に移動することを可能にする。これは図２６の正面図に示す位置である。次いで、仕切板２４６は図３０に示す位置に戻り、その後マウスピースカバーが開く間にピン２６０が外側トラック２４２に戻ることを防止する。
【０１７２】
マウスピースカバー２１０が完全に開くとき、ピン２６０はカムトラック２４１の（図示の）右端部に到達し、次いでカムトラック２４１の直線部２４８内に移動することができ、直線部２４８は、全開位置における吸入器本体に対して実質的に垂直に配置される。これにより、第２の割り出し車輪２１４が１ステップ／用量だけ前進した直後に確定点が生じ、確定点において剥離アクチュエータ２５８はそのバネの力の下で自由に垂直に移動し、剥離嘴部２９０、２９０′を解放して、患者による吸入用量の覆いをとる。
【０１７３】
本発明の更なる実施形態を図３１〜図３５に図示する。この実施形態は２つのブリスターストリップを受け入れる単一の二重高さ割り出し車輪を備えるが、この機構は、所望であれば、単一のブリスターストリップに対して提供され得ることは明らかである。マウスピースカバーが開くときに、一方向ラチェット車輪が割り出しシステムを駆動する。ねじりバネを備える、図２４に記載された収納ハブ２１８と同様の構造を有するバネ式遊動部が、マウスピースカバーと蓋シート巻き取り構成要素との間の駆動系内に設けられ、上述したものと同様の移動剥離嘴部構成要素が含まれる。割り出し車輪及び剥離嘴部構成要素が、マウスピースカバーが開く間の中間位置に対応する確定点を越えて回転するとき、吸入器のシャーシに設けられるカムトラックは、移動剥離嘴部構成要素のラチェット爪上のピンに係合して、移動剥離嘴部構成要素を自由にする。
【０１７４】
図３１は、この第３の実施形態の分解図である。この分解図は後部から見たものであり、したがって、外側収容部内に配置されている吸入装置３０２の様々な構成要素の後側を示す。
【０１７５】
この機構は、いくつかの歯車付き構成要素から形成され、中間シャーシ３０４及び後部プレート３０６によって所定の位置に保持される。
【０１７６】
２つのブリスターストリップ３６６、３６８もまた並んで示されており、各ストリップ内の薬剤の個々のポケットが、吸入器の頂部に向かって配置される二重高さ割り出し車輪の形態で、割り出し装置３１２内の凹部内に並んで位置している。移動剥離嘴部構成要素３９０も提供される。
【０１７７】
また、ブリスターストリップ３６６、３６８の使用済みベースシート／箔を前進させて受け入れるスプール車輪３２２と、使用済み蓋シート／箔を受け入れる巻き取りドラム３３０と、が示されている。バネ式遊動部３１８は、第１の遊動歯車３５２及び第２の遊動歯車３５４と共に、前部歯車３１８Ａ及び後部歯車３１８Ｂから形成され、前部歯車３１８Ａ及び後部歯車３１８Ｂの間にねじりバネ３５６が配置される。
【０１７８】
後部ラチェット構成要素３４０は、マウスピースカバー３１０へ接続し、中央入力ハブ歯車３３６の後部の空洞内に適合して、入力ハブ歯車３３６を一方向にのみ駆動させる。
【０１７９】
図３２は、吸入装置３０２内の機構の組立体を示す。入力ハブ歯車３３６は、マウスピースカバー３１０が開くときに時計回りの方向３３４に駆動され、割り出し車輪３１２並びに第１の遊動歯車３５２及び第２の遊動歯車３５４を直接駆動する。第１の遊動歯車３５２はスプール車輪３２２に駆動を伝達し、第２の遊動歯車３５４はバネ式遊動部の前部歯車３１８Ａに駆動を伝達する。
【０１８０】
図３３は、吸入機構の背面図である。移動剥離嘴部構成要素３９０は、割り出し車輪３１２の一部を取り囲み、割り出し車輪３１２とマウスピース及び空気路マニホールド３０８との間の空間を占めていることが分かる。バネ式遊動部３１８の後部歯車３１８Ｂは、巻き取りハブ３３０に係合するように示されており、ねじりバネ３５６は、巻き取りハブ３３０及び機構内の他の構成要素の所要の回転差に対応することができる。
【０１８１】
後部ラチェット構成要素３４０の入力ハブ歯車３３６への係合を見ることができ、ラチェット構成要素３４０は、マウスピースカバーが開く間に矢印の方向３３４に回転するときはハブ歯車３３６を駆動するが、マウスピースカバー３１０が閉じるときに反対方向に回転するときはハブ歯車３３６に対して回転できることが理解されるだろう。
【０１８２】
また、マウスピースが開くことによって生じる入力ハブ歯車３３６の（吸入器の正面から見たときの）時計回りの回転３３４は、図示のように、割り出し車輪３１２の反時計回りの回転３６４に伝達されることが理解されるだろう。フック又は爪３９２も剥離嘴部構成要素３９０の後部に見ることができ、ピン３９４が爪３９２の残りの部分から隆起して示されている。
【０１８３】
図３４は、図３３に示す機構からの割り出し車輪３１２及び移動剥離嘴部構成要素３９０の背面平面図である。剥離嘴部構成要素３９０上の爪３９２は、割り出し車輪３１２の後側に設けられる一連の半径方向内向きに延在するラチェット歯３１６のうちの１つに係合して示されており、剥離嘴部３９０は、キャップが開く間に割り出し車輪３１２と共に矢印の方向３６４に回転する。割り出し車輪３１２及び剥離嘴部構成要素３９０が一緒に回転するときに、ブリスターストリップ３６６、３６８の剥離前部が割り出し車輪と共に移動する。これにより蓋シート／箔に張力が発生し、巻き取りハブ３３０が反対回転し、バネ式遊動部３１８内のねじりバネ３５６が蓄勢される。
【０１８４】
図３５は、後部プレート３０６と、後部プレート３０６に設けられて剥離アクチュエータとして作用するカムトラック３５８と、を示す。剥離嘴部３９０が割り出し車輪３１２と共に方向３６４に回転するときに、爪３９２のピン３９４は、矢印３４４及び３４８によって示されるようにカムトラック３５８を通過する。矢印３４４で示される円弧は、割り出し車輪３１２を１用量／１ステップ未満だけ前進させるのに必要な回転に対応する。マウスピースカバー３１０がこの確定点を越えて更に回転すると、カムトラック３５８の第２の傾斜部分３４８がピン３９４を誘導して、剥離嘴部構成要素３９０上の爪３９２が、図３４の矢印３７８で示されるように半径方向内向きに移動する。割り出し車輪３１２は、爪３９２が退避するときに反時計回りの方向３６４に回転し続けて、割り出し車輪３１２上の先に係合していたラチェット歯３１６が爪３９２を越えて移動する。これにより、ピンがカムトラック３５８を通過して戻る状態で、剥離嘴部構成要素３９０が自由になり、割り出し車輪３１２に対して時計回りに回転する。次いで、バネ式遊動部３１８内の蓄勢されたねじりバネ３５６が、巻き取りハブ３３０を回転させて蓋箔を巻き取り、剥離嘴部構成要素３９０が回転するときに用量を剥離する。
【０１８５】
割り出し動作中に前部歯車３１８Ａ及び後部歯車３１８Ｂが逆回転するため、ねじりバネ３５６は、巻き取りハブ３３０を２ステップ又は用量に相当する分だけ駆動するのに十分なほど蓄勢される。これにより、巻き取りハブは、（剥離嘴部構成要素３９０の移動を可能にするのに必要な）「解放された」蓋シートを巻き戻すこと、及び新しい用量を剥離して開封することを確実にする。
【０１８６】
剥離嘴部構成要素３９０上の爪３９２は、この移動中に、割り出し車輪の次のラチェット歯３１６に自動的に係合する。後部プレート３０６はまた、割り出し車輪３１２の後部上で軸線方向ラチェット歯３２０に係合する爪３７２を提供して、用量が剥離される間の割り出し車輪３１２の反対回転を防止し、マウスピースが次の使用の準備で閉じるときにラチェット構成要素３４０に抵抗を提供する。
【０１８７】
図３６〜４６は、本発明の別の実施形態を示す。この第４の実施形態では、ジュネーブ係止及び間欠歯車装置を使用して所望の時間調整（ｔｉｍｉｎｇ）を実現し、マウスピースカバーが開くことによって同心の調時歯車車輪のペアを回転させて、割り出し車輪のペアを連続的に駆動する。カム従動子は、ねじりバネでバネ付けられて双安定性をもたらし、マウスピースカバーからの回転を調時歯車車輪に伝達し、この回転によって吸入器シャーシ内のカムトラックに沿って前進する。マウスピースカバーが中間位置又は確定点まで開くと、カムトラックが従動子を「反転（ｆｌｉｐ）」させてプッシュロッドを作動させる。このプッシュロッドは直線的に移動して、上述のものと同様の移動剥離嘴部構成要素のペア上に設けられるラチェット爪を解放する。この「反転」により、調時歯車車輪が係合解除される。マウスピースカバーが閉じると、カム従動子が完全にリセットされ、調時歯車車輪に再係合する。一方、一方向ラチェットは、カム従動子が係合解除される間、割り出し車輪が反対回転するのを防止する。割り出し車輪のペアの一方には更なるカムトラックが設けられて、マウスピースが開く間にプッシュロッドをリセットする。マウスピースカバーからの駆動は、図２４のバネ付勢収納ハブ２１８と同様に、バネ付勢収納ハブを介して蓋シート巻き取り構成要素に伝達される。
【０１８８】
図３６は、最も外側の収容部／本体構成要素が省略された吸入器４０２の分解図である。前部プレート４０５及び後部プレート４０６と共に中間シャーシ４０４が示されている。後部プレート４０６に示された凹部４０７によって示されるように、後部プレート４０６と中間シャーシ４０４との間に様々な歯車付き構成要素が組み立てられて、別個の左側駆動系及び右側駆動系を構成している。
【０１８９】
明確にするために、右側駆動系を構成する構成要素のみが図３６にラベル付けされている。簡単に説明すると、これらは、ブリスターストリップ４６６の未使用部分の収納ハブとして機能するバネ式遊動部４１８と、ブリスターストリップを前進させて使用済みベースシートをコイル状に巻く第１の遊動歯車４５２及びスプール車輪４２２と、使用済み蓋シート／箔を受け入れる巻き取りドラム４３０と、を備える。バネ式遊動部４１８は、第２の実施形態及び第３の実施形態の同等の構成要素２１８、３１８と同様に、前部歯車４１８Ａ及び後部歯車４１８Ｂから形成され、前部歯車４１８Ａ及び後部歯車４１８Ｂの間にねじりバネ４５６が配置される。また、第１の割り出し装置４１２の一部を形成する前部割り出し出力歯車４１２Ａ及び後部割り出し出力歯車４１２Ｂも示されている。
【０１９０】
ブリスターストリップ４６６の個々のブリスターを受け入れるポケットを有する第１の割り出し車輪４１２Ｃと、第１の割り出し駆動歯車４１２Ｄとが、第１の割り出し装置４１２の残りを構成し、分解図の正面に示されている。組み立てるとき、後部割り出し出力歯車４１２Ｂは前部割り出し出力歯車４１２Ａ内に受け入れられるが、前部割り出し出力歯車４１２Ａに対して自由に関係している。前部割り出し出力歯車４１２Ａは、第１の割り出し車輪４１２Ｃに堅固に接続され、第１の割り出し駆動歯車４１２Ｄは、第１の割り出し車輪４１２Ｃから延在するピン４１３に堅固に接続される。
【０１９１】
吸入器４０２の左側の同様の配置により、第２のブリスターストリップ３６８に係合する第２の割り出し装置４１４を構成する。図３６に図示するように、１つの相違点は、第２の割り出し駆動歯車４１４Ｄが単純な歯付き歯車であるのに対し、第１の割り出し駆動歯車４１２Ｄは後述するようにジュネーブ係止を提供することである。第２の遊動部４５４は、第２の割り出し駆動歯車４１４Ｄにも関連している。
【０１９２】
第１の割り出し車輪４１２Ｃの周りには、第１の移動剥離嘴部構成要素４９０が配置されている。剥離嘴部構成要素４９０は、第１の割り出し車輪４１２Ｃの前面の凹部４１６に選択的に係合するラチェット爪４９２を含む。組み立てるとき、剥離嘴部構成要素４９０の前面は、前部プレート４０５の前面と実質的に面一になっている。
【０１９３】
前部プレート４０５の前には、中央入力ハブ歯車４３６が設けられている。中央ハブ歯車４３６はカム従動子４８０によって駆動され、カム従動子４８０は、マウスピースカバー４１０に接続されるアーム４４０によって移動する。前部プレート４０５内に湾曲カムトラック４６１が設けられて、アーム４４０に対するカム従動子４８０の移動を制御し、後述するように、カム従動子４８０とアーム４４０の更なる部分との間に設けられる安定化バネ４８２の力に抵抗する。
【０１９４】
前部プレート４０５内の更なる誘導溝４５９は、プッシュロッドの形態の剥離アクチュエータ４５８を受け入れ、剥離アクチュエータ４５８が直線移動するよう拘束する。剥離アクチュエータ４５８は、下端部に駆動ピン４６０を有し、上端部に先端部のペア４６２を有する。先端部４６２は、組み立てられた吸入器４０２の前部プレート４０５の前面にちょうど隆起して位置決めされ、剥離アクチュエータ４５８が垂直に移動するとき、各先端部４６２が剥離嘴部構成要素４９０のラチェット爪４９２に係合することができる。また、剥離アクチュエータ４５８は、ハブ歯車４３６の後面に設けられる略円形カムトラック４４１に係合する誘導ピン４６３を有する。
【０１９５】
図３７は、中央ハブ歯車４３６の背面図であり、中央ハブ歯車４３６は、各々が略円形プレートの形態の前半部及び後半部を備えると考えることができる。前半部の円周周りには、４つの歯のペア４１６が９０度の間隔で設けられ、後半部の円周周りには、４つの三つ歯の群４２０が９０度の間隔で設けられる。したがって、ハブ歯車４３６の各半部は、平滑半径方向部分４１７、４２１によって分離される４つの隔離された歯車部分４１６、４２０を提供する。前半部及び後半部上の歯車歯の群４１６、４２０は、互いに円周方向にオフセットされている。
【０１９６】
また、中央ハブ歯車４３６の後部上には、略円形カムトラック４４１が設けられている。カムトラック４４１は閉ループを形成し、４つの四分の一の各々が、直線傾斜部分４４２と、一定半径部分４４４と、直線半径方向外向き延伸部分４４８と、を有する。各半径方向外向き延伸部分４４８は、中央ハブ歯車４３６の前半部及び後半部上の歯のオフセット群４１６、４２０の間に位置している。
【０１９７】
図３８は、カム従動子４８０の詳細を示す。歯のペア４８４が設けられて、ハブ歯車４３６の後半部上の三つ歯の群４２０に係合する。また、湾曲カムトラック４６１に係合するピン４８６、及び剥離アクチュエータ４５８に係合する凹部４８５が設けられている。
【０１９８】
図３９及び図４０はそれぞれ、第１の割り出し駆動歯車４１２Ｄ及び第２の遊動部４５４を示す。第１の割り出し駆動歯車４１２Ｄは６つの隔離歯車歯４７３を有し、隔離歯車歯４７３は、ハブ歯車４３６の前半部に設けられる歯車歯のペア４１６に係合し、第１の割り出し駆動歯車４１２Ｄの円周周りの内向き湾曲部分４７２によって分離されている。各湾曲部分４７２の半径は、ハブ歯車４３６の平滑部分４１７の半径と一致する。使用時には、構成要素の歯４１６、４７３が係合しているときには中央ハブ歯車４３６の回転が第１の割り出し駆動歯車４１２Ｄを前進させることになるが、湾曲部分４１７、４７２が係合しているときには第１の割り出し駆動歯車４１２Ｄが回転に対して保持されることになる。したがって、駆動歯車４１２Ｄは、ハブ歯車４３６とのジュネーブ係止を提供する。
【０１９９】
第２の遊動部４５４は、縮径中央部分によって分離される前部歯車車輪及び後部歯車車輪を備え、図４０に後部から示されている。後部歯車車輪は、中央ハブの後部上にある三つ歯の群４２０に係合する３つの歯車歯のペア４７５と、中央ハブ歯車４３６の湾曲部分４２１と等しい半径を各々有する３つの内向き湾曲部分４７４と、を有する。前部歯車車輪は、第２の割り出し駆動歯車４１４Ｄに係合する歯を有する標準歯車４７６である。したがって第２の遊動歯車４５４は、第１の割り出し駆動歯車４１２Ｄによって提供されるものと同様の間欠駆動及び係止機能を第１の割り出し駆動歯車４１４Ｄに提供する。
【０２００】
図４１は、組み立てられた機構の正面図である。図示のように、第１の割り出し駆動車輪４１２Ｄ、すなわち第１の割り出し装置は、中央駆動ハブによって回転に対して保持されている。第２の遊動歯車４５４の前部歯車４７６は、中央ハブ歯車４３６に隆起して位置しており、第２の割り出し駆動車輪４１４Ｄに係合する一方、後部歯車車輪（図示せず）は中央ハブ歯車４３６の後半部に係合する。第２の遊動歯車４５４の縮径中央部分は、前部歯車と後部歯車との間隔を空けて、第２の遊動歯車４５４のいかなる部分も中央ハブ歯車４３６の前半部に係合しない。
【０２０１】
剥離アクチュエータ４５８は、誘導溝４５９の頂部にあり、第１の割り出し駆動車輪４１２Ｄ及び第２の割り出し駆動車輪４１４Ｄと、第１の移動剥離嘴部構成要素４９０及び第２の移動剥離嘴部構成要素４９０′との間に先端部４６２が挟まれている。カム従動子４８０及びバネ４８２はアーム４４０と共に組み立てられ、マウスピースカバーが開くとき、アーム４４０は時計回りの方向４３４に移動し、湾曲カムトラック４６１に沿ってカム従動子４８０が移動する。この移動については、機構の隠れた部分を破線で示す以下の図で説明する。
【０２０２】
図４２は、マウスピースカバーが図４１に示す位置からわずかに開いた状態の機構を示す図である。アーム４４０は時計回り４３４に回転し、これによりカム従動子４８０上の歯のペア４８４と中央ハブ歯車４３６の後半部上の三つ歯の群４２０との係合によって中央ハブ歯車４３６が回転する。この回転中の、略円形カムトラック４４１の角度傾斜部分４４２に沿った剥離アクチュエータ４５８の誘導ピン４６３の経路が示されており、その結果、剥離アクチュエータ４５８が下方へ移動して、誘導溝４５９の頂部から離れる。第１の割り出し駆動車輪４１２Ｄの歯車歯４７３は、ハブ歯車４３６上の歯のペア４１６に係合して、更なる回転が第１の割り出し装置４１２を駆動する。
【０２０３】
図４３は、更なる回転後の機構を示す。カム従動子４８０の誘導ピン４８６は、示されているように湾曲カムトラック４６１の内側部分４６１Ａを通って移動し、ハブ歯車４３６を駆動し続ける。この回転の結果、第１の割り出し駆動車輪４１２Ｄが１ステップ前進している。ハブ歯車４３６の前半部上の三つ歯のセット４２０は、第２の遊動部４５４上の歯のペア４７５に係合して及び係合から外れて移動し、第２の遊動部４５４を回転させて第２の割り出し駆動車輪４１４Ｄ、ひいてはしたがって第２の割り出し装置４１４を１ステップ駆動する。第１の剥離嘴部構成要素４９０及び第２の剥離嘴部構成要素４９０′は、前述のように、それぞれの割り出し装置４１２、４１４と共に回転して、使用中に移動剥離前部を提供する。
【０２０４】
中央ハブ歯車４３６上の歯の群４１６、４２０の間隔を空けることで、第１の割り出し駆動車輪４１２Ｄが１ステップ前進した後にのみ、第２の割り出し駆動車輪４１４Ｄが前進することを確実にする。剥離アクチュエータ４５８は、剥離アクチュエータ４５８の誘導ピン４６３が略円形カムトラック４４１の一定半径部分４４４に係合することにより、回転中に退避位置に維持される。
【０２０５】
図４３に示すように、第１の割り出し駆動車輪４１２Ｄ及び第２の割り出し駆動車輪４１４Ｄは両方とも、図４２に示す位置から１ステップ前進している。両方とも、第１の割り出し駆動車輪４１２Ｄ及び第２の遊動部４５４のそれぞれの内向き湾曲部分４７２、４７４が、ハブ歯車４３６の湾曲外面に係合することによって、回転に対して保持される。剥離アクチュエータ４５８のピン４６３は、略円形誘導トラック４４１の半径方向延伸部分４４８に当接して、ハブ歯車４３６の更なる回転に抵抗する。
【０２０６】
マウスピースが完全に開くときに、アーム４４０は図４３に示す位置から更に回転し、したがってカム従動子４８０と中央ハブ歯車４３６とが相対移動する。図４４に示すように、湾曲誘導トラック４６１の傾斜部分４６１Ｂは、この移動中にカム従動子４８０の誘導ピン４８６を半径方向外向きに付勢する。これによりカム従動子４８０は、図４１〜図４３に示すように、第１の安定状態から、歯のペア４８４を中央ハブ歯車４３６の後半部上の三つ歯の群４２０から係合解除する第２の安定状態に反転する。この反転作用によりカム従動子がハブ歯車４３６を越えて移動することを可能にし、また、凹部４８５が剥離アクチュエータ４５８の駆動ピン４６０に係合し、駆動ピン４６０を誘導溝４５９の頂部まで垂直に付勢する。これにより、各剥離嘴部構成要素４９０のラチェット爪４９２が解放され、吸入準備が整った前進した用量の薬剤の両方を剥離する。したがって、図４３に示す位置は確定点と考えることができ、確定点を超えて剥離動作が行われる。
【０２０７】
図４５は、マウスピースカバー４１０が閉じるように移動４３２して、機構がリセットされる様子を示し、この間にカム従動子４８０はアーム４４０の移動によって駆動される。カム従動子４８０の誘導ピン４８６は、湾曲誘導トラック４６１の外側部分４６１Ｃに沿って通過し、中央ハブ歯車４３６のいかなる反対駆動も回避する。安定化バネ４８２は、この移動中にカム従動子４８０を第２の係合解除状態に維持するのに役立つ。
【０２０８】
図４５に示すように、カム従動子上の歯のペア４８４は、中央ハブ歯車４３６の後半部上の異なる三つ歯の群４２０に近接している。マウスピースカバー４１０を完全に閉じるときにアーム４４０が更に移動すると、カム従動子４８０の誘導ピン４８６は、湾曲誘導トラック４６１の最終直線部分４６１Ｄを通って移動することになる。これは、カム従動子４８０を第１の状態に戻し、歯のペア４８４を中央ハブ歯車４３６の後半部上の三つ歯の群４２０に係合させる役割を果たす。このようにして、機構は図４１に示す位置に戻され、次の作動準備が整う。
【０２０９】
図４６は、吸入装置４０２の後部の歯車装置を示しており、すなわち後部プレート４０６を取り除いた装置の後部から見た図である。第１の割り出し装置４１２は、第１の巻き取りドラム４３０及び第１のバネ式遊動部４１８に係合している。第１の遊動歯車４５２はまた、第１のバネ式遊動部４１８及び第１のスプール車輪４２２に係合して、吸入装置４０１の片側の第１の駆動系を完成させる。第２の割り出し装置４１４を組み込んだ第２の別個の駆動系も設けられている。図４６に駆動系の移動を図示する矢印が追加されている。明確にするために、全移動／駆動の一部が第１の駆動系及び第２の駆動系の各々に図示されており、破線の矢印は、不明瞭な構成要素の係合及び移動を示している。
【０２１０】
前述のように、第１の割り出し駆動歯車４１２Ｄは、マウスピースカバー４１０が開く間に中央ハブ歯車４３６の回転によって駆動される。これにより前部割り出し出力歯車４１２Ａが指示回転し、この回転は図示のようにバネ式遊動部４１８の前部歯車４１８Ａを駆動する。バネ歯車遊動部４１８の前部歯車４１８Ａは第１の遊動歯車４５２に係合し、第１の遊動歯車４５２は第１のスプール車輪４２２に係合して、使用済みベースシートを駆動し及びコイル状に巻く。第２の駆動系は、第２の割り出し装置４１４及び第２のスプール車輪４２２′に対して同様に動作することが理解されるだろう。
【０２１１】
第１の割り出し装置４１２及び第２の割り出し装置４１４が前進するときに、移動剥離嘴部構成要素４９０、４９０′により使用済み蓋シートに歪みが加えられ、これにより第１の巻き取りドラム４３０及び第２の巻き取りドラム４３０′が回転する。第２の駆動系に図示されるように、第２の巻き取りドラム４３０′は第２の割り出し装置の後部割り出し出力歯車４１４Ｂに係合し、後部割り出し出力歯車４１４Ｂは、第２のバネ式遊動部４１８′の後部歯車４１８Ｂ′への遊動伝達駆動として作用する。前部歯車４１８Ａ′及び後部歯車４１８Ｂ′の逆回転により、割り出し中にねじりバネ４５６にエネルギーが蓄積する。このエネルギーは、剥離アクチュエータ４５８が剥離嘴部構成要素４９０、４９０′を解放するときに解放され、第２の巻き取りドラム４３０′を回転させて用量を剥離するのに十分である。
【０２１２】
図４７〜図６０は、割り出し動作及び剥離動作の両方がカムプレートによって制御される、本発明の第５の実施形態を示す。カムプレート上に設けられるカムトラックは、割り出し車輪のペア上のピンに係合し、カムプレート上に設けられるピンは、割り出し車輪に関連する移動剥離嘴部構成要素のペア上のカムトラックに係合する。移動剥離嘴部構成要素と割り出し車輪との間にねじりバネが設けられている。移動剥離嘴部は、マウスピースカバーの移動中にカムプレートによって割り出し車輪が前進する間、最初は回転に対して保持され、マウスピースカバーが中間位置又は確定点を越えて開くときにのみ解除される。第５の実施形態では、ラチェット構成要素はどこにも使用されない。
【０２１３】
図４７は、第５の実施形態による吸入器５０１の内部構成要素の分解図である。先の実施形態と同様に、中間シャーシ５０４及び前部プレート５０５が吸入器５０１の本体の一部として設けられ、第１の割り出し車輪５１２及び第２の割り出し車輪５１４がそれぞれ第１のブリスターストリップ５６６及び第２のブリスターストリップ５６８の割り出し装置として設けられている。第１の割り出し装置５１２及び第２の割り出し装置５１４の各々は、固定前部歯車５１８Ａ、５１８Ａ′と、前部歯車５１８Ａ、５１８Ａ′に対して回転可能な後部歯車５１８Ｂ、５１８Ｂ′と、を備える。後部歯車５１８Ｂ、５１８Ｂ′と割り出し装置５１２、５１４の残りの部分との間には、ねじりバネ５５６が接続されている。他の実施形態で説明したように、第１の割り出し装置５１２及び第２の割り出し装置５１４の各々を取り囲む移動剥離嘴部構成要素５９０、５９０′が設けられて、剥離前部の位置を変化させる。
【０２１４】
中間シャーシ５０４の後側には、第１の歯車付き駆動系及び第２の歯車付き駆動系を構成する様々な歯車付き構成要素が示されている。第１の駆動系を構成する構成要素、すなわち第１のスプール車輪５２２と、第１の巻き取りドラム５３０と、第１の遊動部５５２及び第２の遊動部５５４と、のみが示されている。第１の割り出し装置５１２及び第２の割り出し装置５１４の各々の歯車付き部品は、中間シャーシ５０４の後部を越えて延在して、第１の歯車付き駆動系及び第２の歯車付き駆動系にそれぞれ係合する。第１の割り出し装置５１２及び第２の割り出し装置５１４の前面は、前部プレート５０５内の切り抜き部分を通って延在し、それぞれの移動剥離嘴部構成要素５９０、５９０′の前面は、前部プレート５０５の前に位置してカムプレート５３６に露出する。ハブ構成要素５３８は、カムプレート５３６を可動マウスピースカバー（図示せず）に接続する。
【０２１５】
図４８は、カムプレート５３６に設けられる複雑な（ｃｏｎｖｏｌｕｔｅｄ）カムトラック５４１を通る断面図であり、カムプレート５３６の、第１の割り出し装置５１２及び第２の割り出し装置５１４への係合を図示する。第１の割り出し装置５１２の前面の縁部の周りには第１の６つのピンのリング５５３が設けられ、第２の割り出し装置５１４の前面の縁部の周りには第２の６つのピンのリング５６３が設けられている。図４８に示す構成は、吸入装置５０１のマウスピースカバーが完全に閉じられ、矢印５３２で示すようにカムプレートがほぼ反時計回りの方向に移動している。各６つのピンの群５５３、５６３のうちの３つは、カムトラック５４１に係合し、第１の割り出し装置５１２及び第２の割り出し装置５１４の両方を回転に対して保持する。
【０２１６】
図４９は、吸入装置５０１の使用中に、第２の割り出し装置５１４のピン５６３がカムトラック５４１を通って取る経路５４３を示す。実線の矢印は、マウスピースカバーが開く５３４間に、カムプレート５３６が図４８に示す位置から移動する間に取られる経路を示す。これは、マウスピースカバーが開く間に第２の割り出し装置５１４を駆動する役割を果たす。破線の矢印は、マウスピースカバーが閉じる５３２ときに同じピン５６３が取る経路を示し、第２の割り出し装置５１４を回転に対して保持する。各矢印のペアは、マウスピースカバーの単一の開閉に関連する。
【０２１７】
また、カムプレート５３６の後面は、第１の割り出し装置５１２の前面に設けられる６つのスロット５４２のうちの１つに係合する駆動ピン５４０を備えて、マウスピースカバーが閉じる５３２間に第１の割り出し装置５１２の回転を駆動する。また、剥離嘴部ピンのペア５６２が設けられて、吸入装置５０１の使用中に移動剥離嘴部構成要素５９０、５９０′の移動を制御する。
【０２１８】
図５０は、第１の割り出し装置５１２の６つのスロット５４２と交差する平面を通る、図４８と同様の装置の更なる断面図である。また、第１の移動剥離嘴部構成要素５９０及び第２の移動剥離嘴部構成要素５９０′内の第１の剥離嘴部カムトラック５５１及び第２の剥離嘴部カムトラック５６１もそれぞれ示される。駆動ピン５４０及び剥離嘴部ピン５６２の断面も見ることができる。
【０２１９】
第１の移動剥離嘴部構成要素５９０及び第２の移動剥離嘴部構成要素５９０′は、第１の割り出し装置及び第２の割り出し装置に対して自由に回転し、係合ラッチ又はラチェット爪は設けられない。代わりに、これらの移動は、剥離嘴部ピン５６２が第１の剥離嘴部カムトラック５５１又は第２の剥離嘴部カムトラック５６１に係合することによって調節される。移動剥離嘴部構成要素５９０、５９０′の各々に設けられる噛合歯車歯５９６は、これらの移動が結合されることを確実にして、剥離嘴部ピン５６２が剥離嘴部カムトラック５５１、５６１のいずれかに係合することにより、両方の剥離嘴部構成要素５９０、５９０′の移動を制御することになる。
【０２２０】
例えば図５０に示すように、一方の剥離嘴部ピン５６２は第１の剥離嘴部カムトラック５５１から係合解除しているが、両方の剥離嘴部構成要素５９０、５９０′の移動は、他方の剥離嘴部ピン５６２が第２の剥離嘴部カムトラック５６１に係合することによって依然として制御される。実際にカムプレート５３６のほとんどの位置において、剥離嘴部ピン５６２の一方又は両方が、剥離嘴部構成要素５９０、５９０′を駆動するか又は剥離嘴部構成要素５９０、５９０′を回転に対して保持するような方法で、剥離嘴部カムトラック５５１、５６１に係合している。例外は、移動剥離嘴部構成要素５９０、５９０′が矢印５９３及び矢印５９４によって示されるように自由に回転し、用量の剥離を可能にするときであり、剥離嘴部ピン５６２がマークされた作動位置５９２にある場合である。
【０２２１】
図５１は、マウスピースカバーが全開位置にあるときのカムプレート５３６の位置を示す。剥離嘴部ピン５６２が図５０に示す作動位置５９２にあるので、移動剥離嘴部構成要素５９０、５９０′は、上述のように自由に回転する。カムプレート５３６の複雑なカムトラック５４１は、第１の割り出し装置５１２及び第２の割り出し装置５１４の様々な構成がカムプレート５３６の背後で不明瞭になっているのと同様に、破線で示されている。駆動ピン５４０は、第１の割り出し装置５１２の前面の６つのスロット５４２の一方の端部に位置決めされて、マウスピースカバーが閉じる間にカムプレート５３６が矢印の方向５３２に移動すると、まず駆動ピン５４０がスロット５４２内に最初に移動し、次いで第１の割り出し装置５１２が前進することになる。
【０２２２】
図５２は、吸入装置を通る２つのブリスターストリップ５６６、５６８の経路を示す。第１のブリスターストリップ５６６が第１の割り出し装置５１２の周りを走行してから、ベース使用済みベースシートが第１のスプール車輪５２２によって巻き取られ、使用済み蓋シートが第１の巻き取りドラム５３０によって巻き取られ、第１の可動剥離嘴部構成要素５９０内の剥離嘴部の周りを最初に通過する。第２のブリスターストリップ５６８は、第２の割り出し装置５１４と、第２のスプール車輪５２４と、第２の移動剥離嘴部構成要素５９０′と、巻き取りドラム５３０′と、の周りで同様の経路を通る。
【０２２３】
図５３は、吸入装置後部の歯車を示す。第１の駆動系では、第１の割り出し装置５１２の前部歯車５１８Ａが第１の遊動部５５２を介して第１のスプール車輪５２２を駆動する。前部歯車５１８Ａが第１の割り出し装置５１２と共に回転するので、第１のスプール車輪５２２は、第１の割り出し装置がカムプレート５３６によって前進するときに駆動される。第１の巻き取りドラム５３０は、第２の遊動部５５４を介して、第１の割り出し装置５１２の後部歯車５１８Ｂによって駆動される。前部歯車５１８Ａ及び後部歯車５１８Ｂの間のねじりバネ５５６は、前述の実施形態で説明したように、動作中の蓋シートの張力の変化に対応し、剥離前部の移動を可能にして剥離動作を制御する。
【０２２４】
第２の割り出し装置５１４の後部歯車５１８Ｂ′と第２の巻き取りドラム５３０′との間に第２の遊動部のペア５５４′が設けられているが、第２の割り出し装置５１４に対して第２の同様の駆動系が設けられている。
【０２２５】
図５４〜図６０は、様々な構成要素の移動を図示する。図５４は、用量が放出された直後の吸入器５０１を示す。カムプレート５３６は、ハブ構成要素５３８の回転軸線からオフセットされたピン５３７によってハブ構成要素５３８に接続されている。マウスピースカバー（図示せず）はこの時点で完全に開いており、第１の剥離嘴部構成要素５９０及び第２の剥離嘴部構成要素５９０′は、外向きに回転した位置にある。残りの図５５〜図６０は、マウスピースカバーが開く５３２及び閉じる５３４間に中央ハブ構成要素５３８が回転するときのカムプレート５３６の移動を示す。
【０２２６】
マウスピースカバーが閉じる初期段階では、図５４から図５５まで、剥離嘴部構成要素５９０、５９０′が内向きに回転し始め、第１の割り出し装置５１２が図５５から図５６に前進する間、回転が継続する。マウスピースカバーが図５７に示す位置まで閉じる最終部分では、剥離嘴部ピン５６２が第２の剥離嘴部５９０′内のカムトラック５６１の最下部を通って移動するときに、蓄勢されたねじりバネ５５６によって蓋シートに発生する張力が剥離嘴部構成要素５９０、５９０′を付勢して、図５０の矢印５９３、５９４の方向にわずかに外向き回転させる。
【０２２７】
図５８及び５９に示すように、続いてマウスピースカバーが開くと、ハブ構成要素５３８が５３４に示すように回転するときに、第２の割り出し装置５１４が前進する。図５９に示す位置では、両方の割り出し装置５１２、５１４及び両方の移動剥離嘴部構成要素５９０、５９０′は、カムプレート５３６によって所定の位置に保持される。図６０に示すように、最終的に開移動する間、カムプレート５３６内の複雑なカムトラック５４１は、割り出し装置５１２、５１４を静止したまま保持し続け、一方、剥離嘴部ピン５６２は図５０に示す位置作動位置５９２に移動し、剥離嘴部構成要素５９０、５９０′の外向き回転を可能にする。
【０２２８】
剥離嘴部構成要素５９０、５９０′は吸入装置５０１の作動後に最初に移動し、これにより剥離前部は吸入装置から剥離される次の用量よりも常に先行していることが理解されるだろう。次いで、剥離嘴部ピン５６２が第１の剥離嘴部構成要素５９０及び第２の剥離嘴部構成要素５９０′のカムトラック５５１、５６１内の作動位置５９２にあるとき、剥離作用は設定された確定点まで行われない。
【０２２９】
図６１〜図６５は本発明の実施形態を示し、ここではカムトラックが切り込まれた間欠リング歯車によって割り出し及び剥離動作が制御される。この実施形態はまた分割空気路を構成し、この空気路の半部は上下に往復運動することができ（また移動剥離嘴部としても機能し）、一方で他の半部は静止したままである。巻き取りドラム駆動歯車と巻き取りドラムとの間には、ねじりバネが設けられている。間欠リング歯車を（入力ラチェット車輪を駆動する爪付きキャップ入力車輪を介して）回すと、第１の割り出し車輪が回転し、これにより第１のストリップを割り出す。同時に、空気路／移動剥離嘴部の移動半部も平行移動して、ストリップに対する剥離前部の位置を維持する。これにより、対応する巻き取りドラムがねじりバネに抗して引っ張られて蓋シートを解放し、剥離前部の移動を可能にする。間欠リング歯車を回し続けると、次いで第２の割り出し車輪と第２の巻き取りドラムが回り、第２のストリップを剥離する。第２の巻き取りドラムは第１の巻き取りドラムと連動しており、これにより第２の巻き取りドラムのねじりバネが更に蓄勢される。次いで、カムトラックは移動空気路／移動剥離嘴部を解放し、これにより移動空気路／移動剥離嘴部が第１のストリップの剥離をもたらす第１の蓋シートの張力によって引き戻されることを可能にする。キャップが再度閉じると、ラチェット駆動歯車がリセットされる。移動空気路／移動剥離嘴部上のピンの位置によって、間欠リング歯車、ひいては入力ラチェット車輪が後方に回転するのを防止する。
【０２３０】
図６１は、第６の実施形態による吸入器６０１の分解図である。吸入器６０１の本体の一部として、中間シャーシ６０４と、前部プレート６０５と、後部シャーシ６０６と、が設けられている。第１の割り出し車輪６１２及び第２の割り出し車輪６１４は、中間シャーシ６０４の後部に設けられ、第１のブリスターストリップ及び第２のブリスターストリップ（図示せず）の割り出し装置として中間シャーシ６０４を通って延在する。第１のスプール車輪６２２及び第２のスプール車輪６２４と、第１の巻き取りドラム６３０及び第２の巻き取りドラム６３０′と、第１の遊動部６５２及び第２の遊動部６５４と、も設けられている。駆動歯車６１８、６１８′は、第１の巻き取りドラム６３０及び第２の巻き取りドラム６３０′の各々に対して設けられて、各駆動歯車６１８、６１８′がそれぞれの巻き取りドラム６３０、６３０′に対して回転可能である。各駆動歯車６１８、６１８′とそれぞれの巻き取りドラム６３０、６３０′との間には、ねじりバネ（図示せず）が接続されている。
【０２３１】
マウスピース及び空気路マニホールド６０８は、中間シャーシ６０４の前に設けられ、分割空気路を備え、分割空気路は、使用中に垂直に往復運動することができる第１の半体６９０と、一方で静止したままの第２の半体６９１と、を有する。
【０２３２】
吸入装置６０１の全ての構成要素の移動を制御／駆動する手段としてリング歯車／カムプレート６３６が設けられ、これはしたがって、中心論理ハブと考えることができる。リング歯車上の内向きに延在する歯車歯６１６は、割り出し装置６１２、６１４と、スプール車輪６２２、６２４と、巻き取りドラム６３０、６３０′と、を駆動する。カムトラック６５１も設けられて、ピン６６２を空気路の第１の半体６９０に係合して、空気路の第１の半体６９０の垂直移動を制御する。
【０２３３】
一方向ラチェット構成要素６４０は、マウスピースカバー（図示せず）に接続し、中央入力ハブ歯車６３８の後部の空洞内に適合して、入力ハブ歯車６３８を一方向にのみ駆動する。ハブ歯車６３８は次に、リング歯車／カムプレート６３６の後部に係合して、マウスピースカバーの移動がリング歯車／カムプレート６３６に伝達される。
【０２３４】
図６２は、組み立てられた構成要素の正面図である。第１の収納室６１９及び第２の収納室６２０は、中間シャーシ６０４の下端部に設けられて、薬剤（図示せず）の第１の剥離可能なブリスターストリップ及び第２の剥離可能なブリスターストリップ（図示せず）を収容する。各ブリスターストリップは、収納室６１９及び収納室６２０から割り出し装置６１２及び割り出し装置６１４上に供給され、その後蓋シートは、空気路の半体６９０及び空気路の半体６９１を通過して巻き取りドラム６３０及び巻き取りドラム６３０′に送られ、ベースシートは、スプール車輪６２２及びスプール車輪６２４の周りにコイル状に巻かれる。
【０２３５】
空気路の第１の半体６９０の垂直移動が矢印６４２及び矢印６４８で示されている。後の図面を参照してより十分に説明するように、第１の割り出し装置６１２及び第２の割り出し装置６１４は、使用中に示される方向に順次回転する。第１の割り出し装置６１２が前進すると、分割空気路の第１の半体６９０が上方へ移動６４２し、剥離前部がブリスターストリップと同じ方向に移動して、剥離動作が遅延する。その後下方へ移動６４８すると、蓋シートをベースシートから剥離し、薬剤の用量を剥離する役割を果たす。したがって分割空気路の第１の半体６９０の直線移動は、他の実施形態におけるように、移動剥離嘴部構成要素６９０を提供して剥離動作を調節する。
【０２３６】
図６３の背面図は、ラチェット構成要素６４０と、中央入力ハブ歯車６３８と、リング歯車／カムプレート６３６と、の相互作用を示す。マウスピースカバーが開くことで生じるであろう矢印の方向６３４の回転駆動はリング歯車／カムプレート６３６に伝達されることになるが、マウスピースカバーが閉じるときに生じる反対方向６３２への駆動は伝達されないであろうことが明らかである。
【０２３７】
図６４は、後側から見た吸入装置の第１の断面図である。この断面図は、内向きに延在する歯車歯６１６を通過し、これらの歯６１６が係合する構成要素、すなわち第１の遊動部６５２と、第２の巻き取りドラム６３０′の駆動歯車６１８′と、第２の割り出し装置６１４と、を通過する。図６４に示すように、これらの構成要素の各々の曲面６７２、６７３、６７４はリング歯車／カムプレート６３６の平滑部分６１７に係合してジュネーブ係止を提供し、各構成要素を回転に対して保持する。第１の遊動部６５２は、第１の割り出し装置６１２及び第１のスプール車輪６２２に係合し、第２の遊動部６５４は、第２の割り出し装置と第２のスプール車輪６２４との間で係合し、第２の巻き取りドラム駆動歯車６１８′は、第１の巻き取りドラム駆動歯車６１８に係合している。このように、説明したジュネーブ係止は、図６４に示すように、これら全ての構成要素を回転に対して保持する。
【０２３８】
図６５は、再び吸入装置６０１の後部からの更なる断面図であり、リング歯車／カムプレート６３６内のカムトラック６５１を通り、分割空気路の第１の半体６９０のピン６６２を通っている。
【０２３９】
吸入装置の動作を図６４及び図６５の両方を参照して説明する。
【０２４０】
リング歯車／カムプレート６３６が矢印の方向６３４に回転するときに、マウスピースカバーが開く間に、内向きに延在する歯６１６が第１の遊動部６５２に最初に係合して、第１の割り出し装置６１２及び第１のスプール車輪６２２を駆動して回転させる。カムトラック６５１は、ピン６６２が矢印６４２で示すように移動するように同時に誘導し、これにより、回転中に分割空気路の第１の半体６９０を垂直上方に移動させる。したがって、第１の割り出し装置５１２が用量を前進させ、一方、分割空気路６９０の上方移動で剥離前部位置を調整して、用量が剥離されない。これにより第１のブリスターストリップの蓋シートに張力が生じ、次に第１の巻き取りドラム６３０が駆動歯車６１８に対して回転し、蓋ストリップの必要な長さが解放されるときに、これらの間に設けられるねじりバネにエネルギーが蓄積する。
【０２４１】
第１の割り出し装置６１２が１ステップ／用量だけ前進するとき、第１の遊動部６５２の曲面６７２は、リング歯車／カムプレート６３６の平滑部分６１７に再び係合して、リング歯車／カムプレート６３６の回転６３４が継続している間、第１の割り出し装置を静止状態に保持する。更なる内向きに延在する歯６１６は、次いで第２の割り出し装置５１４に最初に係合し、次いで第２の巻き取りドラム６３０′の駆動歯車６１８′に係合して、これらの構成要素を前進させ、マウスピースカバーが開き続ける間に第２のブリスターストリップを割り出し及び剥離する。第２の割り出し装置６１４が前進する間、ピン６６２がカムトラック６５１の矢印６４４で示す部分を通って移動するときに、分割空気路６９０は上昇位置に維持される。第２の巻き取りドラム６３０′の駆動歯車６１８′と第１の巻き取りドラム６３０の駆動歯車６１８との間の連動により、第１の巻き取りドラム６３０のねじりバネが更に蓄勢される。
【０２４２】
両方の割り出し装置が１ステップ／１用量だけ前進するとき、曲面６７２、６７３、６７４はリング歯車／カムプレート６３６の平滑部分６１７に再び係合して、両方の割り出し装置６１２、６１４が回転に対して保持される。次いでピン６６２は、カムトラック内の作動位置又は確定点６９２にある。この時点で、カムトラック６５１及び作動位置６９２は、矢印の方向６４８へのピン６６２の移動によって分割空気路６９０の先に示した下方移動を提供する位置まで回転することになる。第１の巻き取りドラム６３０内のねじりバネは、第１の蓋シート及び分割空気路部分６９０を下方に引っ張り、第１のブリスターストリップから用量を剥離する。このように、キャップが完全に開くと両方のストリップから吸入用量が露出するが、第２のストリップは開封動作が半分完了した後にのみ剥離され、第１のストリップは開封動作の端部に近い定義された確定点の後にのみ剥離される。
【０２４３】
その後マウスピースカバーが閉じても、ラチェット構成要素６４０により、機構を駆動しない。ピン６６２のカムトラック６５１への係合及び先に説明したジュネーブ係止は、いかなる構成要素も反対回転させず、次の作動を確実に行うのに役立つ。
【０２４４】
図６６〜図７９は、本発明による吸入器７０１の第７の実施形態を図示する。簡単に言えば、図６６の吸入器７０１は割り出し及び剥離の作用を分離し、ジュネーブ機構と同様に機能するように構成される歯車付きシステムを使用して割り出し及び剥離を制御し、第１の割り出しシステム及び第２の割り出しシステムが別々に前進することを可能にする。
【０２４５】
図６６の分解図に示すように、吸入器７０１の本体の一部として、中間シャーシ７０４と、前部プレート７０５と、後部シャーシ７０６と、が設けられている。中間シャーシ７０４の後部の構成要素は、移動空気路７０８と移動剥離嘴部７９０及び移動剥離嘴部７９０′とを含み、剥離嘴部機構によって駆動される空気路７０８の移動を伴う割り出し及び剥離制御機構を形成し、したがって、吸入装置７０１の剥離機能に厳密に連結されている。中間シャーシ７０４の前の構成要素は、ブリスターストリップの管理を担当する。
【０２４６】
吸入器７０１の機構は、マウスピースカバー７１０の移動により駆動され、マウスピースカバー７１０は、ハブ歯車７３８の後側の凹部に位置する一方向ラチェット構成要素７４０に接続されている。ハブ歯車７３８は第１の入力歯車７３６を駆動し、次に、これにより第２の入力歯車７３６′を駆動する。第１の入力歯車７３６及び第２の入力歯車７３６′は、それぞれ、第１の割り出し装置７１２及び第２の割り出し装置７１４と、第１の剥離嘴部構成要素７９０及び第２の剥離嘴部構成要素７９０′と、を間欠的に駆動する。第１の割り出し装置７１２及び第２の割り出し装置７１４の各々は、それぞれの剥離嘴部構成要素７９０、７９０′の周りに組み立てられる割り出し歯車７１２Ａ及び割り出し歯車７１４Ａと、割り出しドラム７１２Ｂ及び割り出しドラム７１４Ｂと、を備える。吸入器７０１はまた、後述するように、第１の剥離嘴部構成要素７９０及び第２の剥離嘴部構成要素７９０′と相互作用する第１のスレーブ嘴部構成要素７９１及び第２のスレーブ嘴部構成要素７９１′を含む。
【０２４７】
残りの構成要素は、前の実施形態で説明したものとほぼ同様である。使用済みベース箔には、第１のスプール車輪７２２及び第２のスプール車輪７２４が設けられ、ブリスターストリップのペアの使用済み蓋シート／箔には、ねじりバネ７５６、７５６′を介して駆動歯車７１８、７１８′に各々接続される第１の巻き取りドラム７３０及び第２の巻き取りドラム７３０′が設けられる。
【０２４８】
図６７は、第１の入力歯車７３６をより詳細に示す。ボス７７２は、入力歯車７３６の前面から延在し、ボス７７２の全高にわたって延在する歯付き部分７７３を有する。歯付き部分７７３の一端部には切り抜き部７７４が近接し、切り抜き部７７４は、ボス７７２の自由端部から半分だけ下方に延びる。第２の歯車歯のリング７１６は、ボス７７２に対向して第１の入力歯車７３６の後部に設けられて、使用中のハブ歯車７３８に係合する。これは、切り抜き部７７４が再び示される図６８の上面図で見ることができる。
【０２４９】
図６９は、第１の入力歯車７３６及び第２の入力歯車７３６′と、可動空気路７０８と、第１の剥離嘴部構成要素７９０及び第２の剥離嘴部構成要素７９０′と、を含む機構の一部を示す。第２の入力歯車７３６′の構成は第１の入力歯車７３６の構成と同様であるが、第２の歯車歯のリング７１６がないため、第１の入力歯車７３６への係合によってのみ駆動される点が異なる。第２の入力歯車７３６′はまた、幅が第２の入力歯車７３６′上のボスの高さの半分しかないが、わずかに長い切り抜き部７７４′を有する。
【０２５０】
第１の剥離嘴部構成要素７９０及び第２の剥離嘴部構成要素７９０′は両方とも、歯付き入力部分７７５、７７５′を有し、歯付き入力部分７７５、７７５′は、ボス７７２、７７２′の端部に近接する第１の入力歯車７３６及び第２の入力歯車７３６′の歯付き部分７７３、７７３′に係合する。また、歯付き入力部分７７５、７７５′の両側の各剥離嘴部構成要素７９０、７９０′の外縁部には小凹部７７６、７７６′が設けられ、空気路７０８の後部に設けられるスロット７５１に係合する駆動ピン７６２、７６２′が設けられている。矢印は使用中の構成要素の回転方向を示し、第１の入力歯車７３６上の歯付き部分内の第１の歯７７３Ａが彫られることで、第１の入力歯車７３６が第１の剥離嘴部構成要素７９０を最初に駆動し始めるときの初期係合時の効率を高めることに留意されたい。ラベル付けされていないが、同じ理由で第２の入力歯車上の第１の歯７７３Ａ′が同様に彫られている。
【０２５１】
図７０〜７５は、図６９に示される機構の使用中の前進を示す。マウスピースカバー７１０が開くと、図７０に示すように、第１の入力歯車７３６及び第２の入力歯車７３６′の両方が同時に反対方向に前進する。この回転により、第１の入力歯車７３６の歯付き部分７７３が第１の剥離嘴部構成要素７９０の歯付き入力部分７７５に最初に係合し、図７１に示すように回転駆動を伝達する。第１の剥離嘴部構成要素７９０は、対応する歯付き部分７７３、７７５が端部に来るまで回転し、この時点で、図示のように、凹部７７６がボス７７２の外面に係合する。この回転の間、駆動ピン７６２は示すように空気路７０８を下方に駆動して、剥離前部の位置をブリスターストリップに対して維持する。
【０２５２】
第１の剥離嘴部構成要素７９０が上述のように前進すると、次いで、マウスピースカバー７１０が継続的に移動して、次いで第２の入力歯車７３６′の歯付き部分７７３′が第２の剥離嘴部構成要素７９０′の歯付き入力部分７７５′に係合する。第２の剥離嘴部構成要素７９０′は、このように更なる開移動によって前進し、一方、凹部７７６は、ボス７７２の外面に係合するジュネーブ保持面を提供し、図７３に示すように、第１の剥離嘴部構成要素７９０を更なる回転に対して保持する。
【０２５３】
図７４は、第２の剥離嘴部構成要素７９０′がこのようにして対応する歯付き部分７７３′、７７５′の端部まで前進することを示す。第２の駆動ピン７６２′は、空気路７０８のスロット７５１に係合して、両方の剥離嘴部構成要素７９０、７９０′が可動マウスピース７０８を介して連結される。機構の確定点と考えられ得る図７４に示す位置から更に回転すると、第１の入力歯車７３６及び第２の入力歯車７３６′の切り抜き部７７４、７７４′が、第１の剥離嘴部構成要素７９０及び第２の剥離嘴部構成要素７９０′より上の位置に移動する。次いで、切り抜き部７７４、７７４′は、各剥離嘴部構成要素７９０、７９０′の外周が、それぞれの入力歯車７３６、７３６′のボス７７２、７７２′を通過して回転する空間を提供する。後述するように、この機構が前進すると、ブリスターストリップを通してバネ付勢も発生し、これにより第１の剥離嘴部構成要素７９０及び第２の剥離嘴部構成要素７９０′が駆動して、回転して初期位置に戻る。図７５に示すように、空気路７０８も垂直上方に移動する。この解放は剥離動作を行い、ブリスターストリップのペアの各々からの薬剤用量を開封する。
【０２５４】
図７４はまた、駆動ピン７６２、７６２′に近接する第１の剥離嘴部構成要素７９０及び第２の剥離嘴部構成要素７９０′の剥離嘴部７９０Ａ、７９０Ａ′を示す。第１のスレーブ嘴部構成要素７９１及び第２のスレーブ嘴部構成要素７９１′（図示せず）は、回転中に剥離嘴部７９０Ａ、７９０Ａ′によって駆動され、現在は駆動ピン７６２、７６２′の上にある。これにより、駆動ピン７６２、７６２′又はスロット７５１を提供するマウスピース７０８の後部と干渉することなく、より大きな物理的な剥離嘴部を提供することが可能になる。
【０２５５】
図６６に関連して上述したように、第１の割り出し歯車７１２Ａ及び第１の割り出しハブ７１２Ｂは、第１の剥離嘴部構成要素７９０の周りに組み立てられ、第２の割り出し歯車７１２Ａ及び割り出しハブ７１４Ｂは、第１の剥離嘴部構成要素７９０の周りに組み立てられる。したがって、第１の割り出し歯車７１２Ａ及び第２の割り出し歯車７１４Ａは、図６９〜７５に示される組立体において、第１の剥離嘴部構成要素７９０及び第２の剥離嘴部構成要素７９０′の背後に位置する。
【０２５６】
図７６及び図７７は、それぞれ図７４及び図７５に示す機構位置に対応し、第１の割り出し歯車７１２Ａ及び第２の割り出し歯車７１４Ａを破線で示す。両方の割り出し歯車７１２Ａ、７１４Ａは類似の形態を有しており、第１の割り出し歯車７１２Ａを参照して一度だけ説明することとする。第１の割り出し歯車７１２Ａの周りには４つの歯付き駆動部分７７７が設けられており、歯付き駆動部分７７７の各々は第１の剥離嘴部構成要素７９０の歯付き入力部分７７５に類似している。歯付き駆動部分７７７の間には、第１の剥離嘴部構成要素７９０の凹部７７６と同様の係止凹部７７８が設けられている。
【０２５７】
第１の割り出し歯車７１２Ａ及び第２の割り出し歯車７１４Ａは、図７０〜７３に関連して説明したように、第１の剥離嘴部構成要素７９０及び第２の剥離嘴部構成要素７９０′と共に、第１の入力歯車７３６及び第２の入力歯車７３６′によって最初に前進する。しかし、第１の割り出し歯車７１２Ａ及び第２の割り出し歯車７１４Ａは、第１の剥離嘴部構成要素７９０及び第２の剥離嘴部構成要素７９０′の背後に位置するので、これらの周縁部は、切り抜き部７７４、７７４′の下方の各ボス７７２、７７２′の下部に係合する。このようにボス７２２、７２２′は、第１の割り出し歯車７１２Ａ及び第２の割り出し歯車７１４Ａの凹部７７８、７７８′に係合したままであり、マウスピースの開端部に向かう回転に対してこれらを保持する。言い換えれば、一旦用量が割り出されると、剥離動作が行われている間、第１の割り出し装置７１２及び第２の割り出し装置７１４は静止状態に保持される。
【０２５８】
記載されるような機構は、第１の剥離嘴部構成要素７９０及び第２の剥離嘴部構成要素７９０′の振動又は往復運動と、共通駆動からの第１の割り出し装置７１２及び第２の割り出し装置７１４の間欠的な回転と、を提供する。構成要素の移動及び移動空気路７０８の移動を確実に同期させることができる。第１の割り出し装置７１２及び第２の割り出し装置７１４は、一度に１／４回転前進し、ブリスターストリップのペアの薬ポケットを受け入れる４つの提供される用量ポケットに対応する。
【０２５９】
ピンジュネーブ機構を使用して同様の機能性を達成することができ、機構全体の両半部は、２つのジュネーブ車輪のスタックを駆動する単一のピンを有し、ジュネーブ車輪は、嘴部の反対駆動を可能にする層（剥離嘴部層）のうちの１つに対する解放領域を有する。しかし、記載されるような歯車駆動を使用することにより、力プロファイルの変動が少なくなり、弱くてスナップに対して脆弱であり得る支持されていないピンの必要性を回避する。
【０２６０】
機構は、第１の側を割り出し、剥離前部と共に空気路７０８を下方に駆動し、次いで、その剥離前部をマウスピース７０８の開封部に移動させる第２の側を割り出してから、両方を解放する。剥離嘴部構成要素７９０、７９０′が元の位置に回転して戻ると、これらは空気路７０８を介して連結される。これにより同時移動を確実にし、空気路７０８を各ブリスターストリップの現れた薬ポケットに沿った位置に駆動する。
【０２６１】
機構への入力駆動が図７８の背面図に図示されている。ラチェット構成要素７４０は、ハブ歯車７３８の中央凹部に受け入れられて示されており、マウスピースカバー（図示せず）が開くときに生じる回転７３４の間はハブ歯車７３８を駆動するが、閉じる７３２間は駆動しないように配置されている。ハブ歯車７３８は、第１の入力歯車７３６上の第２の歯車歯のリング７１６に係合して示されており、第１の割り出し歯車７１２Ａは、第１の割り出し歯車７１２Ａによって後部から大きく隠れる第１の剥離嘴部構成要素７９０と共にラベル付けされている。既に説明したように、マウスピースカバー７１０が開く間に割り出し及び剥離動作全体が完了するので、マウスピースカバー７１０が閉じる７３２間の運動を吸入器７０１の機構に伝達する必要はない。逆止ラチェットは、歯車系と相互作用して、マウスピースカバーが閉じる間にラチェット構成要素７４０がハブ歯車７３８内で回転するときに、駆動歯車装置が後方に駆動されないことを確実にする。
【０２６２】
図７９は、ストリップ管理に関わる吸入器７０１の構成要素を示す。図７９の図は、図７８の中間シャーシ７０４の反対側から見た正面図である。第１の出力歯車７５２及び第２の出力歯車７５４は、第１の割り出しハブ７１２Ｂ及び第２の割り出しハブ７１４Ｂに接続されて、第１の割り出し装置７１２及び第２の割り出し装置７１４から、第１のスプール車輪７２２及び第２のスプール車輪７２４へ、及び第１の巻き取りドラム７３０及び第２の巻き取りドラム７３０′の駆動歯車７１８、７１８′へ、回転駆動を伝達する。
【０２６３】
他の実施形態と同様に、第１のスプール車輪７２２及び第２のスプール車輪７２４は、第１のブリスターストリップ及び第２のブリスターストリップの使用済みベースシート／箔を単に受け入れて巻き付け、一方、第１の巻き取りドラム７３０及び第２の巻き取りドラム７３０′は、使用済み蓋箔／シートを受け入れる。駆動歯車７１８、７１８′と巻き取りドラム７３０、７３０′との間に設けられるねじりバネ７５６、７５６′は、先の実施形態と同様に作用して、最初にバネエネルギーを蓄積しながら割り出し装置７１２、７１４及び嘴部構成要素７９０、７９０′と共に蓋箔の移動を可能にして、続いて剥離動作を駆動し、ブリスターストリップが使用されるときに使用済み蓋箔／シートの直径が増大するのを補正する。第１の巻き取りドラム７３０及び第２の巻き取りドラム７３０′は、対応する割り出し装置７１２、７１４と反対方向に回転するように連動し、これは割り出し中にねじりバネ７５６、７５６′を更に蓄勢する。これにより、剥離嘴部構成要素７９０、７９０′が解放されるときに、蓋シート／箔が剥離前部を越えて後退するのに十分な張力を提供し、ストリップ上の次の用量を開封する。
【０２６４】
第７の実施形態による吸入器７０１は、レイアウト、タイミング、配列、力、トルク、変位等の点で構成に自由度が生じる。移動空気路は、その移動が回転ではなく直線的であるため、使用中にブリスターと同じ経路上を移動しない（又はブリスターストリップからオフセットされる）。これは、剥離動作中、移動空気路７０８と第１の割り出し車輪７１２及び／又は第２の割り出し車輪７１４とが、これらの行程の端部でのみ互いに近接しているため、蓋箔がこれらの間に挟まれる可能性が少ないことを意味する。
【０２６５】
第６の実施形態の吸入器６０１とは異なり、２つの部分間に隙間（ｃｌｅａｒａｎｃｅ  ｇａｐ）を必要とするであろう別個の移動及び部分はなく、単一の移動空気路７０８のみがあるだけである。したがって、空気路７０８と吸入器７０１のマウスピースとの間に、より単純なピストン型シールを使用することができる。
【０２６６】
次に、図８０〜図８９を参照して、本発明の第８の実施形態について説明する。ここでも第８の実施形態の吸入器８０１は、レイアウト、タイミング、配列、力、トルク、変位等に関して構成の自由度を提供し、マウスピースカバーを使用して機能し、ラチェット駆動を介してバネ（伸張又はねじり）に抗してハブ歯車を回転させて、割り出し動作を完了させる。シャーシ上の構成により、ラチェットをハブ歯車から解放し、バネがラチェットを開始位置に戻す。このようにして、マウスピースカバーの一方向１２０°移動は、機構入力の往復運動に変換される。
【０２６７】
図８０の分解図は、吸入器８０１の構成要素を示す。構成要素の多くは先の実施形態で説明したものと類似しており、第１のスプール車輪８２２及び第２のスプール車輪８２４と、第１の割り出し装置８１２及び第２の割り出し装置８１４と、それぞれ駆動歯車８１８、８１８′を有する第１の巻き取りハブ８３０及び第２の巻き取りハブ８３０′と、を含む。第１の遊動歯車８５２及び第２の遊動歯車８５４が設けられて、ストリップを管理する歯車機構内に、これらの構成要素のいくつかを連結させる。図８０には示されていないが、第１の巻き取りハブ８３０及び第２の巻き取りハブ８３０′の各々と、このそれぞれの駆動歯車８１８、８１８′との間にねじりバネが設けられて、前述のようにバネ付きハブを提供する。
【０２６８】
吸入器８０１の機構は、マウスピースカバー８１０を介して駆動され、マウスピースカバー８１０は、ハブ歯車８３８内のラチェット構成要素８４０に直接結合されている。ハブ歯車８３８は、前部プレート８０５を通って延在する第１の入力歯車８３６に永久的に係合し、第１の入力歯車８３６を駆動する。第１の入力歯車８３６は、第２の入力歯車８３６′に係合し、第２の入力歯車８３６′を駆動する。
【０２６９】
第１の入力歯車８３６及び第２の入力歯車８３６′は、第１の剥離嘴部構成要素８９０及び第２の剥離嘴部構成要素８９０′を駆動する。機構の剥離嘴部構成要素８９０、８９０′は２部品から形成され、第１の剥離嘴部構成要素８９０は、中間シャーシ８０４の両側から組み立てられる前部品８９０Ａ及び後部品８９０Ｂを備える。同様に、第２の剥離嘴部構成要素８９０′は、中間シャーシ８０４の両側から組み立てられる前部品８９０Ａ′及び後部品８９０Ｂ′を備える。吸入器８０１の後部プレートの背後には、突出部８６８を有する係止アーム８６６も設けられている。
【０２７０】
図８１〜８３は、第１の割り出し装置８１２と、第１の剥離嘴部８９０の前部品８９０Ａ及び後部品８９０Ｂと、の詳細図である。図８１に示す第１の割り出し装置８１２の一端部には凹部８９７が設けられており、図８２に示すように、第１の剥離嘴部構成要素の前部品８９０Ａの面上に設けられるラチェット歯８９６を受け入れる。第１の剥離嘴部構成要素の前部品８９０Ａはまた、駆動スロット８５１と凹部８９９とを提供し、組み立て中に図８３に示す剥離嘴部構成要素の後部品８９０Ｂ上に設けられるタブ８９８を受け入れる。第２の割り出し装置８１４と、第２の剥離嘴部構成要素８９０′の前部品８９０Ａ′及び後部品８９０Ｂ′と、は同等の構成を備える。
【０２７１】
マウスピースが開く間の機構の前進を、図８４及び図８５の正面図に図示している。第１の入力歯車８３６及び第２の入力歯車８３６′の回転方向が示されている。
【０２７２】
図８４は、マウスピースカバーが開く初期段階を示し、第１の入力歯車８３６の後面上に設けられる駆動ピン８６２が、第１の剥離嘴部構成要素８９０の駆動スロット８５１に係合している。第１の剥離嘴部構成要素８９０は、第１の剥離嘴部構成要素８９０と第１の入力歯車８３６の後部上のボス８７２との間のジュネーブ様式係止によって最初に回転が防止され、その後、ボス８７２の片側の切り抜き８７４によって図８５に示す位置まで回転することが可能になる。第１の剥離嘴部構成要素８９０のラチェット歯８９６は、第１の割り出し装置の凹部８９７に係合して、第１の割り出し装置が第１の剥離嘴部と共に駆動されて第１のブリスターストリップを前進させる。第１の剥離嘴部構成要素８９０の記載された移動中、第２の剥離嘴部構成要素８９０′は、第２の入力歯車８３６′の後部上に設けられるボス８７２′の外面に係合することによって静止状態に保持される。
【０２７３】
第１の剥離嘴部構成要素８９０の回転が完了すると、図８５に示すように、ボス８７２の外面に係合することによって再び所定の位置に保持される。次いで、第２の入力歯車８３６′の後面上の駆動ピン８６２′は駆動スロット８５１′に係合して、第２の剥離嘴部構成要素８９０′を駆動して、第２の入力歯車のボス８７２′内の切り抜き８７４′を介して同様の方法で回転させる。第２の割り出し装置８１４は、第１の割り出し装置８１２について上述したように、この移動中に駆動されて、第２のブリスターストリップを前進させる。駆動ピン８６２、８６２′及び切欠き８７４、８７４′を互い違いに位置決めすることで、２つのストリップが同時にではなく順次割り出されることを確実にする。
【０２７４】
図８５はまた、第１の入力歯車８３６の片側のスロット８５５を示し、スロット８５５は引張バネ（図示せず）の一端部を取り付ける。引張バネの他端部は、図８６に示す前部プレート８０５上の取付点８５７に接続される。前部プレート８０５はまた、カムスロットのペア８６１を備え、カムスロットのペア８６１は、図８７に図示するように、ラチェット構成要素８４０のアーム上に設けられる突出部８５０を受け入れる。各カムスロットの一端部８６１Ａは角度付けされて、キャップが開く間に突出部８５０がラチェット構成要素８４０の回転端部８３４に向かって内向きに付勢される。これにより、ハブ歯車８３８がラチェット構成要素８４０を越えて回転し、システム内の、例えばバネ式巻き取りドラム８３０、８３０′からの引張バネ及び他のバネ力によって駆動されて、元の位置にリセットされることが可能になる。第１の剥離嘴部構成要素８９０及び第２の剥離嘴部構成要素８９０′もまた、このリセット動作中に初期位置に戻るように回転するが、ラチェット歯８９６及び凹部８９７は、この反対駆動が第１の割り出し装置８１２及び第２の割り出し装置８１４に伝達されないことを確実にする。したがって、マウスピースが開く間に確定点（カムスロット８６１の傾斜端部８６１Ａに対応する）に到達すると、剥離動作が達成される。ラチェット構成要素８４０は、マウスピースカバー８１０が閉じるとき、回転８３２中に駆動を伝達しないことが理解されるだろう。
【０２７５】
図８８及び図８９は、係止機構を図示し、係止機構は、剥離動作中に第１の割り出し装置８１２及び第２の割り出し装置８１４が前進位置に留まることを確実にする。係止機構は、吸入器８０１の後部から示されており、明確化のために後部プレート８０６の大部分が省略されている。マウスピースカバーカバー８０８には係止アーム８６６が接続されており、マウスピースカバーカバーと共に回転する。マウスピースカバーが開位置まで回転８３４すると、係止アームも回転する。この開移動の端部に向かって、係止アーム８６６上の凸部８８６（図８０参照）がラッチ構成要素８１９に係合して、図８９に示すように、第１の割り出し装置８１２及び第２の割り出し装置８１４の後端部に設けられる係止凹部８２０、８２０′内にラッチ構成要素８１９を下方駆動する。第１の割り出し装置８１２及び第２の割り出し装置８１４は、マウスピースカバーが閉じるときに再び解放される。
【０２７６】
図８９はまた、第１の割り出し装置８３０に対する第１の割り出し装置８１２と駆動歯車８１８との係合、及び第１の遊動部８５２を介した第１の割り出し装置８１２と第１のスプール車輪８２２との係合を示す。機構の第２の側も同様に配置され、第２の割り出し装置８１４を介して駆動される。他の実施形態と同様に、第１のバネ式巻き取りドラム８３０及び第２のバネ式巻き取りドラム８３０′は、割り出し中に蓋箔によってそれぞれの駆動歯車８１８、８１８′とは反対方向に駆動される。
【０２７７】
図９０〜９６は、本発明の第９の実施形態による別の吸入器９０１を図示する。吸入器９０１は、マウスピースカバーを使用してラチェット構成要素を介してハブ歯車を回し、これによりカバーの往復運動を入力駆動機構の単一方向駆動に変換する。ハブ歯車の駆動により、歯車付きジュネーブ様式機構を通して２つの割り出し装置、従って２つのブリスターストリップが間欠的で連続的に非同時運動し、歯車付きジュネーブ様式機構は、割り出し車輪を駆動して位置決めする。剥離嘴部は、一体化された単一の直線移動空気路であり、分割デスモドロミックカムを使用して制御され、分割デスモドロミックカムは、第１のストリップの運動と同期して剥離を防止する。これにより、第２のストリップの蓋箔が重なり合う。
【０２７８】
図９０は、いくつかの構成要素を省略した第９の実施形態の吸入器９０１の背面分解図である。ラチェット構成要素９４０が設けられて、マウスピースカバー（図示せず）からの駆動を吸入器本体の後部プレート９０６を通してハブ歯車９３６に伝達する。また、後部プレート９０６の後部にはリング歯車９３８が設けられている。
【０２７９】
第１の割り出し装置９１２及び第２の割り出し装置９１４と、スプール車輪９２２、９２４と、遊動歯車９５２、９５４とは、第１の巻き取りドラム９３０及び第２の巻き取りドラム９３０′（及び関連する入力歯車９１８、９１８′）と共に、後部プレート６０６と中間シャーシ９０４との間に位置する。他の実施形態と同様に、ねじりバネ（図示せず）が設けられてバネ式巻き取りドラム９３０、９３０′を形成し、前述の利益をもたらす。移動剥離嘴部構成要素９９０は中間シャーシ９０４の前に図示されており、駆動ピン９６２を備え、駆動ピン９６２は、中間シャーシのスロットを通って延在して剥離嘴部構成要素９９０を直線運動に拘束する。
【０２８０】
図９１は、ハブ歯車９３６の正面斜視図である。ハブ歯車９３６は、前部駆動歯車９３６Ａと、中央カムプレート９３６Ｂと、後部間欠駆動歯車９３６Ｃと、を備え、吸入器９０１の中央論理ハブを効果的に提供し、吸入器９０１の様々な構成要素を所定の順序で前進させる。ラチェット構成要素９４０はハブ歯車９３６の後側の凹部内に受け入れられ、マウスピースカバーが開移動する間に、ハブ歯車９３６が矢印の方向９３４に駆動される。この回転の間、カムプレート９３６Ｂの縁部上のカムトラック９５１は、剥離嘴部構成要素９９０の駆動ピン９６２に係合して、剥離嘴部構成要素９９０を垂直上方に駆動する。同一の駆動ピン９６２がカムトラック９５１の下部に係合し、剥離嘴部構成要素が下降位置にあると、マウスピースカバーが閉じる間にハブ歯車が逆回転することに抵抗する。
【０２８１】
図９２は移動空気路９０８を示し、移動空気路９０８は移動剥離嘴部構成要素９９０と組み合わされて、吸入器９０１の使用中に移動剥離嘴部構成要素９９０と共に移動する。空気路９０８は更なる駆動ピン９６３を備え、駆動ピン９６３は、剥離嘴部構成要素９９０の駆動ピン９６２とは反対方向に延在し、使用時に、図９３に示すマウスピースカバー９１０の内面に設けられる更なるカムトラック９６１に係合する。更なるカムトラック９６１は拡大領域９６１Ａを含み、拡大領域９６１Ａでは、マウスピースカバー９１０が閉位置にあるときに更なる駆動ピン９６３が受け入れられる。
【０２８２】
図９４及び図９５は、マウスピースカバー９１０の移動中の剥離嘴部構成要素９９０及び空気路９０８の移動を更に図示する。図９４は開移動９３４中のある点を示しており、前述のように、剥離嘴部構成要素９９０（及び接続される空気路９０８）がハブ歯車９３６上のカムトラック９５１によって垂直上方に移動している。マウスピースカバー９１０が開く間に更に回転９３４すると、更なるカムトラック９６１内の更なる駆動ピン９６３が図示のように移動する。これにより空気路９０８が付加的に上方移動するよう駆動され、空気路９０８は、マウスピースカバー９１０が完全に開くときに上昇位置に保持される。
【０２８３】
図９５は、マウスピースカバー９１０が全開位置にあり、吸入装置９０１の確定点にあることを示している。この位置から、更なる駆動ピン９６３は、マウスピースカバー９１０が閉じる間の回転９３２中に示されるように移動する。空気路９０８及び剥離嘴部構成要素９９０は、開く間にハブ歯車９３６の回転によって蓄勢されるバネ式巻き取りドラム９３０、９３０′によって与えられるバネ付勢力の下で、最初は垂直下方に自由に移動して、剥離動作を行う。次いで、剥離嘴部構成要素９９０は低位置に保持され、ハブ歯車のカムトラック５５１と剥離嘴部構成要素９９０の駆動ピン９６２との係合を通して、ハブ歯車を反対回転に対して係止する。
【０２８４】
図９６は、吸入器９０１の歯車装置の背面図である。ラチェット構成要素９４０が示され、マウスピースカバーが開く間の駆動方向９３４が示されている。
【０２８５】
間欠駆動歯車９３６Ｃの歯付き部分９１６が、第１の割り出し装置９１２を（第１の遊動歯車９５２を介して）最初に前進させ、続いて第２の割り出し装置９１４を前進させることは明らかである。第１の割り出し装置９１２及び第２の割り出し装置９１４が前進していないときには、これらは間欠駆動歯車９３６Ｃの平滑部分９１７と第１の遊動部９５２又は第２の割り出し装置９１４との間のジュネーブ式係止によって静止した状態で保持される。これは図６４の第６の実施形態について説明した動作と同様である。リング歯車９３８（図９０参照）は、第１の割り出し装置９１２及び第２の割り出し装置９１４から、リング歯車９３８の内部に設けられる歯車歯を介して、第１のスプール車輪９２２及び第２のスプール車輪９２４にそれぞれ駆動を伝達する。リング歯車９３８は作動毎に１０分の１回転割り出しされ、したがって、用量カウンタとして、又は更なる発展により、より複雑な用量カウンタ機構のユニット車輪として使用することができる。第１の巻き取りハブ９３０及び第２の巻き取りハブ９３０′の駆動歯車９１８、９１８′は、前部駆動歯車９３６Ａ及び第２の遊動歯車９５４を介して常時駆動される。これにより、マウスピースカバー９１０の開端部における蓋車輪／シートに必要な張力を与え、確定点の前で剥離の準備をし、使用者によって行われる作業を開動作全体に広げる。
【０２８６】
空気路９０８及び剥離嘴部構成要素９９０の前述の運動は、第１の割り出し装置９１２の前進中に生じて、第２のブリスターストリップが割り出し位置にある前の第１のブリスターストリップの剥離を防止する。これにより、第２のブリスターストリップの蓋箔／シートが重なり合い（この運動に先立って第２の巻き取りドラム９３０′からスプール解除され、ベース箔／シートの上に戻される）、次いで、割り出されるときに再回収される。
【０２８７】
カムトラック９５１、９６１の構成により、空気路９０８は、第１のブリスターストリップの運動と同期して移動し、第２のブリスターストリップが所定の位置に割り出されるまで前方位置に保持され、その後、図９５に示される確定点で同時剥離動作が行われることを確実にする。
【０２８８】
上記の実施形態は概して、少ない構成要素数で複雑なタイミング及び順序付けすることを可能にし、呼気作動機構を必要とせずに、使用者による誤用に耐性がある／抵抗できる吸入器を提供する。多くの場合、予想される使用順序からの逸脱から装置が回復することを妨げるかもしれない複雑な又は交絡するラチェット調時の問題を最小限に抑えるために、機構内でのラチェットの使用は大幅に回避され、（使用される場合）２つの薬剤ストリップの同時割り出しが回避される。機構に組み込まれた確定点を使用することは、過剰コンプライアンス問題への対処に役立つ。
【０２８９】
上述の様々な実施形態はそれ自身の個々の構成及び利点を提供するが、これらは全て同じ全体的な目的、すなわち単一装置の共通アクチュエータの移動中の、開封システム及び割り出しシステムの不均衡な進行を達成することを理解されたい。
【図１】
2021532906.tif 000003
【図２】
2021532906.tif 000004
【図３】
2021532906.tif 000005
【図４】
2021532906.tif 000006
【図５】
2021532906.tif 000007
【図６】
2021532906.tif 000008
【図７】
2021532906.tif 000009
【図８】
2021532906.tif 000010
【図９】
2021532906.tif 000011
【図１０】
2021532906.tif 000012
【図１１】
2021532906.tif 000013
【図１２】
2021532906.tif 000014
【図１３】
2021532906.tif 000015
【図１４】
2021532906.tif 000016
【図１５】
2021532906.tif 000017
【図１６】
2021532906.tif 000018
【図１７】
2021532906.tif 000019
【図１８】
2021532906.tif 000020
【図１９】
2021532906.tif 000021
【図２０】
2021532906.tif 000022
【図２１】
2021532906.tif 000023
【図２２】
2021532906.tif 000024
【図２３】
2021532906.tif 000025
【図２３Ａ】
2021532906.tif 000026
【図２４】
2021532906.tif 000027
【図２５】
2021532906.tif 000028
【図２６】
2021532906.tif 000029
【図２７】
2021532906.tif 000030
【図２８】
2021532906.tif 000031
【図２９】
2021532906.tif 000032
【図３０】
2021532906.tif 000033
【図３１】
2021532906.tif 000034
【図３２】
2021532906.tif 000035
【図３３】
2021532906.tif 000036
【図３４】
2021532906.tif 000037
【図３５】
2021532906.tif 000038
【図３６】
2021532906.tif 000039
【図３７】
2021532906.tif 000040
【図３８】
2021532906.tif 000041
【図３９】
2021532906.tif 000042
【図４０】
2021532906.tif 000043
【図４１】
2021532906.tif 000044
【図４２】
2021532906.tif 000045
【図４３】
2021532906.tif 000046
【図４４】
2021532906.tif 000047
【図４５】
2021532906.tif 000048
【図４６】
2021532906.tif 000049
【図４７】
2021532906.tif 000050
【図４８】
2021532906.tif 000051
【図４９】
2021532906.tif 000052
【図５０】
2021532906.tif 000053
【図５１】
2021532906.tif 000054
【図５２】
2021532906.tif 000055
【図５３】
2021532906.tif 000056
【図５４】
2021532906.tif 000057
【図５５】
2021532906.tif 000058
【図５６】
2021532906.tif 000059
【図５７】
2021532906.tif 000060
【図５８】
2021532906.tif 000061
【図５９】
2021532906.tif 000062
【図６０】
2021532906.tif 000063
【図６１】
2021532906.tif 000064
【図６２】
2021532906.tif 000065
【図６３】
2021532906.tif 000066
【図６４】
2021532906.tif 000067
【図６５】
2021532906.tif 000068
【図６６】
2021532906.tif 000069
【図６７】
2021532906.tif 000070
【図６８】
2021532906.tif 000071
【図６９】
2021532906.tif 000072
【図７０】
2021532906.tif 000073
【図７１】
2021532906.tif 000074
【図７２】
2021532906.tif 000075
【図７３】
2021532906.tif 000076
【図７４】
2021532906.tif 000077
【図７５】
2021532906.tif 000078
【図７６】
2021532906.tif 000079
【図７７】
2021532906.tif 000080
【図７８】
2021532906.tif 000081
【図７９】
2021532906.tif 000082
【図８０】
2021532906.tif 000083
【図８１】
2021532906.tif 000084
【図８２】
2021532906.tif 000085
【図８３】
2021532906.tif 000086
【図８４】
2021532906.tif 000087
【図８５】
2021532906.tif 000088
【図８６】
2021532906.tif 000089
【図８７】
2021532906.tif 000090
【図８８】
2021532906.tif 000091
【図８９】
2021532906.tif 000092
【図９０】
2021532906.tif 000093
【図９１】
2021532906.tif 000094
【図９２】
2021532906.tif 000095
【図９３】
2021532906.tif 000096
【図９４】
2021532906.tif 000097
【図９５】
2021532906.tif 000098
【図９６】
2021532906.tif 000099
【手続補正書】
【提出日】令和2年11月24日(2020.11.24)
【手続補正１】
【補正対象書類名】特許請求の範囲
【補正対象項目名】全文
【補正方法】変更
【補正の内容】
【特許請求の範囲】
【請求項１】
割り出しシステムと、開封システムと、前記割り出しシステム及び前記開封システムの共通アクチュエータと、を有する作動機構を備える吸入装置であり、
前記割り出しシステムは薬剤担体を前進させ、
前記薬剤担体は、複数の薬剤ポケット又はブリスターを有するベースと、前記ブリスターを覆う剥離可能な蓋シートと、を備え、
前記開封システムは、前記薬剤担体から前記蓋シートを剥離してブリスターを開封し、
前記共通アクチュエータが、中間位置を介して第１の位置と第２の位置との間で移動可能であり、
前記開封システムの進行が、前記共通アクチュエータが移動している間の前記割り出しシステムの進行に対して不均衡である、吸入装置。
【請求項２】
前記共通アクチュエータの第１の運動範囲を通る移動により、前記割り出しシステムが動作し、
前記共通アクチュエータの第２の運動範囲を通る移動により、前記開封システムが動作し、
前記割り出しシステムが前記開封システムから引き離されて、前記第１の運動範囲が前記第２の運動範囲と同じではない、請求項１に記載の吸入装置。
【請求項３】
前記共通アクチュエータの定められた移動により、前記割り出しシステム及び前記開封システムの両方が動作し、
前記アクチュエータの移動速度に対する前記開封システムの移動速度が、前記アクチュエータの前記定められた移動中に変化する、請求項１に記載の吸入装置。
【請求項４】
前記共通アクチュエータの定められた移動により、
前記割り出しシステムを動作させて薬剤の１用量を前進させ、
ブリスター内の薬剤を露出させることなく前記剥離が生じる第１の動作段階と、前記剥離によってブリスター内の薬剤が露出する第２の動作段階と、を通して前記開封システムが移動して、これにより吸入準備ができた薬剤の用量が提供され、
前記開封システムの前記第２の動作段階が、前記割り出しシステムの前記動作が３０％完了するまで遅延する、請求項１に記載の吸入装置。
【請求項５】
前記定められた移動が、前記第１の位置から前記第２の位置への移動を含む、請求項３又は４に記載の吸入装置。
【請求項６】
前記定められた移動が、前記第２の位置から前記第１の位置への移動、及び前記第２の位置に戻る移動を含む、請求項３又は４に記載の吸入装置。
【請求項７】
前記共通アクチュエータの前記第１の位置からの移動により、前記割り出しシステムが前進し、
前記共通アクチュエータの前記中間位置を越える移動のみにより、前記開封システムが作動する、請求項１又は２に記載の吸入装置。
【請求項８】
前記第１の位置と前記中間位置との間の位置から前記第１の位置に戻る前記アクチュエータの反転移動により、前記割り出しシステムの前記前進が反転する、請求項７に記載の吸入装置。
【請求項９】
前記第２の位置と前記第１の位置との間の前記アクチュエータの移動により、前記割り出しシステムが前進する、請求項１〜８のいずれか一項に記載の吸入装置。
【請求項１０】
前記共通アクチュエータによって駆動される中央ハブを更に備える、請求項１〜９のいずれか一項に記載の吸入装置。
【請求項１１】
歯車リンク機構を更に備えて、前記中央ハブから前記割り出しシステムに駆動を伝達する、請求項１０に記載の吸入装置。
【請求項１２】
カムシステムを更に備えて、前記中央ハブから前記割り出しシステムに駆動を伝達する、請求項１０に記載の吸入装置。
【請求項１３】
前記作動機構がトリガー構成要素を更に含み、前記トリガー構成要素の移動により前記開封システムが始動する、請求項１〜１２のいずれか一項に記載の吸入装置。
【請求項１４】
前記共通アクチュエータの前記中間位置を越える移動により、前記トリガー構成要素が移動する、請求項１３に記載の吸入装置。
【請求項１５】
前記作動機構が、前記開封システムを制御するカムを更に備える、請求項１〜１２のいずれか一項に記載の吸入装置。
【請求項１６】
前記作動機構が、薬剤担体から剥離される使用済み蓋シートを受け入れる蓋シート巻き取り構成要素と、
前記共通アクチュエータ及び前記蓋シート巻き取り構成要素の間の駆動系と、を更に備える、請求項１〜１５のいずれか一項に記載の吸入装置。
【請求項１７】
前記作動機構が、前記割り出しシステムの前進中に蓋シートに発生する張力を調節する手段を備える、請求項１６に記載の吸入装置。
【請求項１８】
前記駆動系の共通中心上に設けられる２つの回転構成要素の間にねじりバネが設けられている、請求項１６又は１７に記載の吸入装置。
【請求項１９】
前記割り出しシステムの前進中に、前記使用済み蓋シートの張力によって前記ねじりバネが蓄勢される、請求項１８に記載の吸入装置。
【請求項２０】
前記割り出しシステムの前進前又は前進中に、前記駆動系が前記蓋シート巻き取り構成要素を移動させて、前記蓋シートの張力を調節する、請求項１６〜１８のいずれか一項に記載の吸入装置。
【請求項２１】
前記割り出しシステムの前進中に、剥離した蓋シートの少なくとも一部が、薬剤担体の未開封部分の上に折り返される、請求項２０に記載の吸入装置。
【請求項２２】
薬剤担体からの蓋シートの分離を調節する剥離嘴部構成要素を更に含む、請求項１〜２１のいずれか一項に記載の吸入装置。
【請求項２３】
前記剥離嘴部構成要素が、前記割り出しシステムの前進中又は前進前に移動可能である、請求項２２に記載の吸入装置。
【請求項２４】
前記剥離嘴部構成要素が、薬剤担体の経路と実質的に一致する経路、又は前記薬剤担体の経路からオフセットされた経路をたどる、請求項２３に記載の吸入装置。
【請求項２５】
前記剥離嘴部構成要素が、前記割り出しシステムの構成要素に選択的に係合する、請求項２３又は２４に記載の吸入装置。
【請求項２６】
前記剥離嘴部構成要素が、前記割り出しシステムの前記構成要素に選択的に係合する爪又はラチェットを備える、請求項２５に記載の吸入装置。
【請求項２７】
前記割り出しシステムが、第１の薬剤担体及び第２の薬剤担体を割り出しする手段を備え、
前記第１の薬剤担体及び第２の薬剤担体の各々が、複数の薬剤ポケット又はブリスターを有するベースと、前記ブリスターを覆う剥離可能な蓋シートと、を備える、請求項１〜２６のいずれか一項に記載の吸入装置。
【請求項２８】
前記開封システムが、前記第１の薬剤担体及び第２の薬剤担体の各々から前記蓋シートを剥離するように構成され、
前記共通アクチュエータの前記第１の位置からの移動により、前記割り出しシステムが動作して前記第１の薬剤担体を前進させ、
前記共通アクチュエータの前記中間位置を越える移動のみにより、前記開封システムが作動して前記第２の薬剤担体のブリスターから前記蓋シートを剥離する、請求項２７に記載の吸入装置。
【請求項２９】
前記割り出しシステムが、前記第１の薬剤担体及び第２の薬剤担体を割り出しする、別個の第１の割り出し装置及び第２の割り出し装置を備える、請求項２７又は２８に記載の吸入装置。
【請求項３０】
前記割り出しシステムが、前記第１の割り出し装置及び第２の割り出し装置を前進させて、前記第１の割り出し装置の進行が前記第２の割り出し装置の進行に対して不均衡である、請求項２９に記載の吸入装置。
【請求項３１】
第１の薬剤担体及び第２の薬剤担体を前進させる第１の割り出し装置及び第２の割り出し装置を備える割り出しシステムと、
前記第１の割り出し装置及び第２の割り出し装置の共通アクチュエータと、
を有する作動機構を備え、
前記共通アクチュエータが、中間位置を介して第１の位置と第２の位置との間で移動可能であり、
前記第１の割り出し装置の進行が、前記第２の割り出し装置の進行に対して不均衡である、吸入装置。
【請求項３２】
前記第１の割り出し装置及び前記第２の割り出し装置が、前記共通アクチュエータの移動中に同時に前進しない、請求項２９〜３１のいずれか一項に記載の吸入装置。
【請求項３３】
前記共通アクチュエータの第１の運動範囲を通る移動により、前記第１の割り出し装置が動作し、
前記共通アクチュエータの第２の運動範囲を通る移動により、前記第２の割り出し装置が動作し、
前記第１の割り出し装置が前記第２の割り出し装置から引き離されて、前記第１の運動範囲が前記第２の運動範囲と同じでない、請求項２９〜３２のいずれか一項に記載の吸入装置。
【請求項３４】
前記共通アクチュエータが前記第２の位置から前記第１の位置に移動するときに、前記割り出しシステムが前記第１の割り出し装置及び第２の割り出し装置のうちの１つを前進させる、請求項２９〜３３のいずれか一項に記載の吸入装置。
【請求項３５】
前記第１の割り出し装置及び第２の割り出し装置の少なくとも一方が、割り出し車輪を備える、請求項２９〜３４のいずれか一項に記載の吸入装置。
【請求項３６】
前記割り出しシステムが、単一の割り出し装置を備える、請求項２７又は２８に記載の吸入装置。
【請求項３７】
前記割り出し装置が、割り出し車輪を備える、請求項３６に記載の吸入装置。
【請求項３８】
開封システムが、前記第１の薬剤担体及び第２の薬剤担体の各々の上のブリスターを同時に剥離して開封するように構成される、請求項２７〜３７のいずれか一項に記載の吸入装置。
【請求項３９】
前記共通アクチュエータの前記中間位置が、前記共通アクチュエータの前記第１の位置よりも前記共通アクチュエータの前記第２の位置に近い、請求項１〜３８のいずれか一項に記載の吸入装置。
【請求項４０】
前記共通アクチュエータの前記中間位置が、前記共通アクチュエータの前記第２の位置に近接する、請求項３９に記載の吸入装置。
【請求項４１】
前記割り出しシステムが、間欠駆動面及び／又は係止面を有する１つ以上の歯車を備える、請求項１〜４０のいずれか一項に記載の吸入装置。
【請求項４２】
前記割り出しシステムが、前記割り出しシステムの１つ以上の構成要素の移動を選択的に防止する係止手段を備える、請求項１〜４１のいずれか一項に記載の吸入装置。
【請求項４３】
前記係止手段が、係止面を有する１つ以上の歯車を備える、請求項４２に記載の吸入装置。
【請求項４４】
前記係止手段が１つ以上の爪を備える、請求項４２又は４３に記載の吸入装置。
【請求項４５】
前記共通アクチュエータがマウスピースカバーを備える、請求項１〜４４のいずれか一項に記載の吸入装置。
【請求項４６】
前記第１の位置が、前記マウスピースカバーの全閉位置である、請求項４５に記載の吸入装置。
【請求項４７】
前記第２の位置が、前記マウスピースカバーの全開位置である、請求項４５又は４６に記載の吸入装置。
【請求項４８】
可動空気路構成要素を更に備える、請求項１〜４７のいずれか一項に記載の吸入装置。
【請求項４９】
前記可動空気路構成要素が、一体可動空気路を備える、請求項４８に記載の吸入装置。
【請求項５０】
前記吸入装置が、静止空気路構成要素及び前記可動空気路構成要素を備える分割空気路を備える、請求項４８に記載の吸入装置。
【請求項５１】
前記可動空気路構成要素が、薬剤担体からの蓋シートの分離を調節する剥離嘴部構成要素を提供する、請求項４８〜５０のいずれか一項に記載の吸入装置。
【請求項５２】
前記可動空気路構成要素が、薬剤担体の経路と実質的に一致しない経路、又は前記薬剤担体の経路から単にオフセットされた経路をたどる、請求項４８〜５１のいずれか一項に記載の吸入装置。
【請求項５３】
前記可動空気路構成要素が、実質的に直線の経路をたどる、請求項４８〜５２のいずれか一項に記載の吸入装置。
【請求項５４】
前記開封システムが、前記薬剤担体から前記蓋シートを剥離して、ブリスターを完全に開封する、請求項１〜３０のいずれか一項に記載の吸入装置。
【国際調査報告】
2021532906.tif 000100
2021532906.tif 000101
2021532906.tif 000102
2021532906.tif 000103